(57)【要約】【課題】  差動作用により電気的な差動装置として機能する差動機構を備える車両用駆動装置において、車両の振動または騒音の発生を抑制する制御装置を提供する。【解決手段】  無段変速状態と有段変速状態とに切換え可能に構成される無段変速部１１を備えた変速機構１０において、車両の振動または騒音を所定値以上とする車両の振動系の共振例えば駆動系のねじり共振が発生しないように変動周期切換制御手段８６により無段変速部１１の無段変速状態と有段変速状態とに応じてエンジン８のトルク変動の周期が切り換えられるので、上記車両の振動系の共振の発生が抑制されて車両の振動または騒音の発生が抑制される。【選択図】      図５
2006137395.tif 000002
【特許請求の範囲】
【請求項１】
エンジンの出力を第１電動機および伝達部材へ分配する差動機構と該伝達部材から駆動輪への動力伝達経路に設けられた第２電動機とを有して電気的な無段変速機として作動可能な無段変速部と、前記動力伝達経路の一部を構成し自動変速機として機能する自動変速部とを備えた車両用駆動装置の制御装置であって、
前記差動機構に備えられ、前記無段変速部を電気的な無段変速作動可能な無段変速状態と該電気的な無段変速作動しない変速状態とに選択的に切り換えるための差動状態切換装置と、
車両の振動または騒音を所定値以上とする車両の振動系の共振が発生しないように前記無段変速部の前記無段変速状態と前記電気的な無段変速作動しない変速状態とに応じて前記エンジンのトルク変動の周期を切り換える変動周期切換制御手段と
を、含むことを特徴とする車両用駆動装置の制御装置。
【請求項２】
前記電気的な無段変速作動しない変速状態は、有段変速状態である請求項１の車両用駆動装置の制御装置。
【請求項３】
前記車両の振動系の共振は、駆動系のねじり共振である請求項１または２の車両用駆動装置の制御装置。
【請求項４】
前記エンジンは作動気筒数の切換えが可能とされるものであり、
前記変動周期切換制御手段は、前記エンジンの作動気筒数を切り換えることにより該エンジンのトルク変動の周期を切り換えるものである請求項１乃至３のいずれかの車両用駆動装置の制御装置。
【請求項５】
前記変動周期切換制御手段は、前記エンジンの作動気筒数の切換えを片バンク運転と両バンク運転とを切り換えるバンク切換制御により実行するものである請求項４の車両用駆動装置の制御装置。
【請求項６】
前記エンジンは運転サイクルの切換えが可能とされるものであり、
前記変動周期切換制御手段は、前記エンジンの運転サイクルを切り換えることにより該エンジンのトルク変動の周期を切り換えるものである請求項１乃至５のいずれかの車両用駆動装置の制御装置。
【請求項７】
前記車両の振動系の共振が発生しないように前記無段変速部の無段変速状態において前記第１電動機および／または前記第２電動機を用いてエンジン回転速度を変化させる共振抑制制御手段を更に含むものである請求項１乃至６のいずれかの車両用駆動装置の制御装置。
【請求項８】
エンジンの出力を第１電動機および伝達部材へ分配する差動機構と該伝達部材から駆動輪への動力伝達経路に設けられた第２電動機とを有して電気的な差動装置として作動可能な動力伝達装置を備えた車両用駆動装置の制御装置であって、
前記差動機構に備えられ、該差動機構を差動作用が働く差動状態と該差動作用をしないロック状態とに選択的に切り換えるための差動状態切換装置と、
車両の振動または騒音を所定値以上とする車両の振動系の共振が発生しないように前記差動機構の前記差動状態と前記ロック状態とに応じて前記エンジンのトルク変動の周期を切り換える変動周期切換制御手段と
を、含むことを特徴とする車両用駆動装置の制御装置。
【請求項９】
前記車両の振動系の共振は、駆動系のねじり共振である請求項８の車両用駆動装置の制御装置。
【請求項１０】
前記エンジンは作動気筒数の切換えが可能とされるものであり、
前記変動周期切換制御手段は、前記エンジンの作動気筒数を切り換えることにより該エンジンのトルク変動の周期を切り換えるものである請求項８または９の車両用駆動装置の制御装置。
【請求項１１】
前記変動周期切換制御手段は、前記エンジンの作動気筒数の切換えを片バンク運転と両バンク運転とを切り換えるバンク切換制御により実行するものである請求項１０の車両用駆動装置の制御装置。
【請求項１２】
前記エンジンは運転サイクルの切換えが可能とされるものであり、
前記変動周期切換制御手段は、前記エンジンの運転サイクルを切り換えることにより該エンジンのトルク変動の周期を切り換えるものである請求項８乃至１１のいずれかの車両用駆動装置の制御装置。
【請求項１３】
前記車両の振動系の共振が発生しないように前記差動機構の差動状態において前記第１電動機および／または前記第２電動機を用いてエンジン回転速度を変化させる共振抑制制御手段を更に含むものである請求項８乃至１２のいずれかの車両用駆動装置の制御装置。
【発明の詳細な説明】
【技術分野】
【０００１】
本発明は、車両用駆動装置の制御装置に係り、差動作用により電気的な差動装置として機能する差動機構を備える車両用駆動装置において、特に、車両の振動または騒音の発生を抑制する技術に関するものである。
【背景技術】
【０００２】
エンジンの出力を第１電動機および出力軸へ分配する差動機構と、その差動機構の出力軸と駆動輪との間に設けられた第２電動機とを、備えた車両用駆動装置が知られている。例えば、特許文献１に記載されたハイブリッド車両用駆動装置がそれである。このようなハイブリッド車両用駆動装置では差動機構が例えば遊星歯車装置で構成され、その差動作用によりエンジンからの動力の主部を駆動輪へ機械的に伝達し、そのエンジンからの動力の残部を第１電動機から第２電動機への電気パスを用いて電気的に伝達することにより電気的に変速比が変更される変速機例えば電気的な無段変速機として機能させられ、エンジンを最適な作動状態に維持しつつ車両を走行させるように制御装置により制御されて燃費が向上させられる。
【０００３】
【特許文献１】特開２０００−２３２７号公報
【特許文献２】特開平５−２６３７０２号公報
【特許文献３】特開平９−２３６１３９号公報
【発明の開示】
【発明が解決しようとする課題】
【０００４】
ところで、一般的に、車両においては様々な振動や騒音が発生する。例えば、その振動や騒音は、エンジンの周期的な気筒点火（爆発）やピストンの往復運動に伴うエンジンのトルク変動による回転変動が強制源（振動強制力）となり、そのエンジントルクを伝達するクランクシャフトから駆動輪までの駆動系（動力伝達系）のねじり振動が生じ、特定のトルク変動周期でその振動が駆動系のねじり共振により増幅されて車両各部に振動やこもり音が発生する現象であり、車両が前後方向に振動するサージと呼ばれる現象や低速こもり音が発生する現象等が良く知られている。
【０００５】
また、一般的に、エンジン（クランクシャフト）と自動変速機との間にトルクコンバータを備える車両用駆動装置においては、そのトルクコンバータにより上記トルク変動が吸収されてこもり音や振動の発生が抑制されている。さらに、特許文献２に記載された車両用駆動装置では、トーショナルダンパを介してクランクシャフトとトルクコンバータが連結されており、そのトーショナルダンパの捩りと捩り返しにより生じる回転振動の共振点に対応するエンジン回転速度領域において、トルクの発生する気筒数を変更することにより同じエンジン回転速度でのトルク変動周期を変化させて共振現象の発生が回避されている。
【０００６】
しかしながら、前記特許文献１に示す駆動装置のようにトルクコンバータのような流体伝動装置を備えていない場合には、エンジンと駆動輪との間の動力伝達経路が直接的に連結されることになり上記共振現象が発生しやすい可能性があった。
【０００７】
本発明は、以上の事情を背景として為されたものであり、その目的とするところは、差動作用により電気的な差動装置として機能する差動機構を備える車両用駆動装置において、車両の振動または騒音の発生を抑制する制御装置を提供することにある。
【課題を解決するための手段】
【０００８】
すなわち、請求項１にかかる発明の要旨とするところは、エンジンの出力を第１電動機および伝達部材へ分配する差動機構とその伝達部材から駆動輪への動力伝達経路に設けられた第２電動機とを有して電気的な無段変速機として作動可能な無段変速部と、前記動力伝達経路の一部を構成し自動変速機として機能する自動変速部とを備えた車両用駆動装置の制御装置であって、(a) 前記差動機構に備えられ、前記無段変速部を電気的な無段変速作動可能な無段変速状態とその電気的な無段変速作動しない変速状態とに選択的に切り換えるための差動状態切換装置と、(b) 車両の振動または騒音を所定値以上とする車両の振動系の共振が発生しないように前記無段変速部の前記無段変速状態と前記電気的な無段変速作動しない変速状態とに応じて前記エンジンのトルク変動の周期を切り換える変動周期切換制御手段とを、含むことにある。
【発明の効果】
【０００９】
このようにすれば、前記無段変速状態と前記電気的な無段変速作動しない変速状態とに切換え可能に構成される無段変速部を備えた駆動装置において、車両の振動または騒音を所定値以上とする車両の振動系の共振が発生しないように変動周期切換制御手段により前記無段変速部の前記無段変速状態と前記電気的な無段変速作動しない変速状態とに応じて前記エンジンのトルク変動の周期が切り換えられるので、車両の振動系の共振の発生が抑制されて車両の振動または騒音の発生が抑制される。
【００１０】
例えば、無段変速部の無段変速状態においてはエンジン回転速度が車速に拘束されない自由回転状態でエンジンと駆動輪とが連結され、無段変速部の電気的な無段変速作動しない変速状態においてはエンジン回転速度が車速に拘束される状態でエンジンと駆動輪とが連結されることから無段変速部の各変速状態における共振点が異なっており、強制源（振動強制力）となるエンジンのトルク変動の周期がその共振点が異なる無段変速状態と電気的な無段変速作動しない変速状態とに応じて車両の振動系の共振が発生しないように切り換えられるので、車両の振動系の共振の発生が回避させられて車両の振動または騒音の発生が抑制される。
【００１１】
ここで、請求項２にかかる発明では、前記電気的な無段変速作動しない変速状態は、有段変速状態である。このようにすれば、前記無段変速状態と前記有段変速状態とに切換え可能に構成される無段変速部を備えた駆動装置において、車両の振動または騒音を所定値以上とする車両の振動系の共振が発生しないように変動周期切換制御手段により前記無段変速部の前記無段変速状態と前記有段変速状態とに応じて前記エンジンのトルク変動の周期が切り換えられるので、車両の振動系の共振の発生が抑制されて車両の振動または騒音の発生が抑制される。
【００１２】
また、請求項３にかかる発明では、前記車両の振動系の共振は、駆動系のねじり共振である。このようにすれば、駆動系のねじり共振の発生を回避するようにエンジンのトルク変動の周期が切り換えられることで、駆動系のねじり共振に起因する車両の振動または騒音の発生が抑制される。
【００１３】
また、請求項４にかかる発明では、前記エンジンは作動気筒数の切換えが可能とされるものであり、前記変動周期切換制御手段は、前記エンジンの作動気筒数を切り換えることによりそのエンジンのトルク変動の周期を切り換えるものである。このようにすれば、エンジンの気筒点火（爆発）の回数に対応するようにしてすなわちトルクの発生する気筒数に対応するようにして同じエンジン回転速度においてエンジンのトルク変動の周期が適切に切り換えられ得る。
【００１４】
また、請求項５にかかる発明では、前記変動周期切換制御手段は、前記エンジンの作動気筒数の切換えを片バンク運転と両バンク運転とを切り換えるバンク切換制御により実行するものである。このようにすれば、エンジンの気筒点火（爆発）の回数に対応するようにして同じエンジン回転速度におけるエンジンのトルク変動の周期が適切に切り換えられ得る。また、このバンク切換制御は作動気筒数を一挙に切り換えるので、順次作動気筒数が切り換えられることに比較して速やかにエンジンのトルク変動の周期が切り換えられる。
【００１５】
また、請求項６にかかる発明では、前記エンジンは運転サイクルの切換えが可能とされるものであり、前記変動周期切換制御手段は、前記エンジンの運転サイクルを切り換えることによりそのエンジンのトルク変動の周期を切り換えるものである。このようにすれば、エンジンの気筒点火（爆発）の回数に対応するようにして同じエンジン回転速度におけるエンジンのトルク変動の周期が適切に切り換えられ得る。
【００１６】
また、請求項７にかかる発明では、前記車両の振動系の共振が発生しないように前記無段変速部の無段変速状態において前記第１電動機および／または前記第２電動機を用いてエンジン回転速度を変化させる共振抑制制御手段を更に含むものである。このようにすれば、無段変速部の無段変速状態においてはエンジン回転速度が車速に拘束されないので、例えば第１電動機を用いて車速一定のままエンジン回転速度を車両の振動系の共振が抑制される回転速度に積極的に回転制御できて車両の振動または騒音の発生が一層抑制される。
【００１７】
また、請求項８にかかる発明の要旨とするところは、エンジンの出力を第１電動機および伝達部材へ分配する差動機構とその伝達部材から駆動輪への動力伝達経路に設けられた第２電動機とを有して電気的な差動装置として作動可能な動力伝達装置を備えた車両用駆動装置の制御装置であって、(a) 前記差動機構に備えられ、その差動機構を差動作用が働く差動状態とその差動作用をしないロック状態とに選択的に切り換えるための差動状態切換装置と、(b) 車両の振動または騒音を所定値以上とする車両の振動系の共振が発生しないように前記差動機構の前記差動状態と前記ロック状態とに応じて前記エンジンのトルク変動の周期を切り換える変動周期切換制御手段とを、含むことにある。
【００１８】
このようにすれば、前記差動状態と前記ロック状態とに切換え可能に構成される差動機構を備えた駆動装置において、車両の振動または騒音を所定値以上とする車両の振動系の共振が発生しないように変動周期切換制御手段により前記差動機構の前記差動状態と前記ロック状態とに応じて前記エンジンのトルク変動の周期が切り換えられるので、車両の振動系の共振の発生が抑制されて車両の振動または騒音の発生が抑制される。
【００１９】
例えば、差動機構の差動状態においてはエンジン回転速度が車速に拘束されない自由回転状態でエンジンと駆動輪とが連結され、差動機構のロック状態においてはエンジン回転速度が車速に拘束される状態でエンジンと駆動輪とが連結されることから差動機構の各変速状態における共振点が異なっており、強制源（振動強制力）となるエンジンのトルク変動の周期がその共振点が異なる差動状態とロック状態とに応じて車両の振動系の共振が発生しないように切り換えられるので、車両の振動系の共振の発生が回避させられて車両の振動または騒音の発生が抑制される。
【００２０】
また、請求項９にかかる発明では、前記車両の振動系の共振は、駆動系のねじり共振である。このようにすれば、駆動系のねじり共振の発生を回避するようにエンジンのトルク変動の周期が切り換えられることで、駆動系のねじり共振に起因する車両の振動または騒音の発生が抑制される。
【００２１】
また、請求項１０にかかる発明では、前記エンジンは作動気筒数の切換えが可能とされるものであり、前記変動周期切換制御手段は、前記エンジンの作動気筒数を切り換えることによりそのエンジンのトルク変動の周期を切り換えるものである。このようにすれば、エンジンの気筒点火（爆発）の回数に対応するようにしてすなわちトルクの発生する気筒数に対応するようにして同じエンジン回転速度におけるエンジンのトルク変動の周期が適切に切り換えられ得る。
【００２２】
また、請求項１１にかかる発明では、前記変動周期切換制御手段は、前記エンジンの作動気筒数の切換えを片バンク運転と両バンク運転とを切り換えるバンク切換制御により実行するものである。このようにすれば、エンジンの気筒点火（爆発）の回数に対応するようにして同じエンジン回転速度におけるエンジンのトルク変動の周期が適切に切り換えられ得る。また、このバンク切換制御は作動気筒数を一挙に切り換えるので、順次作動気筒数が切り換えられることに比較して速やかにエンジンのトルク変動の周期が切り換えられる。
【００２３】
また、請求項１２にかかる発明では、前記エンジンは運転サイクルの切換えが可能とされるものであり、前記変動周期切換制御手段は、前記エンジンの運転サイクルを切り換えることによりそのエンジンのトルク変動の周期を切り換えるものである。このようにすれば、エンジンの気筒点火（爆発）の回数に対応するようにして同じエンジン回転速度におけるエンジンのトルク変動の周期が適切に切り換えられ得る。
【００２４】
また、請求項１３にかかる発明では、前記車両の振動系の共振が発生しないように前記差動機構の差動状態において前記第１電動機および／または前記第２電動機を用いてエンジン回転速度を変化させる共振抑制制御手段を更に含むものである。このようにすれば、差動機構の差動状態においてはエンジン回転速度が車速に拘束されないので、例えば第１電動機を用いて車速一定のままエンジン回転速度を車両の振動系の共振が抑制される回転速度に積極的に回転制御できて車両の振動または騒音の発生が一層抑制される。
【発明を実施するための最良の形態】
【００２５】
ここで、好適には、請求項１乃至７のいずれかに係る車両用駆動装置において、前記無段変速部は、前記差動状態切換装置により前記差動機構が差動作用が働く差動状態とされることで無段変速状態とされ、その差動作用をしないロック状態とされることで電気的な無段変速作動しない変速状態例えば有段変速状態とされるものである。このようにすれば、無段変速部が、無段変速状態と有段変速状態とに切り換えられる。
【００２６】
また、好適には、前記差動機構は、エンジンに連結された第１要素と前記第１電動機に連結された第２要素と前記伝達部材に連結された第３要素とを有するものであり、前記差動状態切換装置は、前記差動状態とするためにその第１要素乃至第３要素を相互に相対回転可能とし、前記ロック状態とするためにその第１要素乃至第３要素を共に一体回転させるか或いはその第２要素を非回転状態とするものである。このようにすれば、差動機構が差動状態とロック状態とに切り換えられるように構成される。
【００２７】
また、好適には、前記差動状態切換装置は、前記第１要素乃至第３要素を共に一体回転させるために前記第１要素乃至第３要素のうちの少なくとも２つを相互に連結するクラッチおよび／または前記第２要素を非回転状態とするために前記第２要素を非回転部材に連結するブレーキを備えたものである。このようにすれば、差動機構が差動状態とロック状態とに簡単に切り換えられるように構成される。
【００２８】
また、好適には、前記差動機構は、前記クラッチおよび前記ブレーキの解放により前記第１回転要素乃至第３回転要素を相互に相対回転可能な差動状態とされ、前記クラッチの係合により変速比が１である変速機とされるか、或いは前記ブレーキの係合により変速比が１より小さい増速変速機とされるものである。このようにすれば、差動機構が差動状態とロック状態とに切り換えられるように構成されるとともに、単段または複数段の定変速比を有する変速機としても構成され得る。
【００２９】
また、好適には、前記差動機構動は遊星歯車装置であり、前記第１要素はその遊星歯車装置のキャリヤであり、前記第２要素はその遊星歯車装置のサンギヤであり、前記第３要素はその遊星歯車装置のリングギヤである。このようにすれば、前記差動機構の軸方向寸法が小さくなる。また、差動機構が１つの遊星歯車装置によって簡単に構成され得る。
【００３０】
また、好適には、前記遊星歯車装置はシングルピニオン型遊星歯車装置である。このようにすれば、前記差動機構の軸方向寸法が小さくなる。また、差動機構が１つのシングルピニオン型遊星歯車装置によって簡単に構成される。
【００３１】
また、好適には、請求項１乃至７のいずれかに係る車両用駆動装置において、前記自動変速部の変速比と前記無段変速部の変速比とに基づいて前記駆動装置の総合変速比が形成されるものである。このようにすれば、自動変速部の変速比を利用することによって駆動力が幅広く得られるようになるので、無段変速部における電気的な無段変速制御の効率が一層高められる。
【００３２】
また、好適には、請求項８乃至１３のいずれかに係る車両用駆動装置において、前記動力伝達経路の一部を構成する自動変速部を備え、その自動変速部の変速比と前記差動機構の変速比とに基づいて前記駆動装置の総合変速比が形成されるものである。このようにすれば、自動変速部の変速比を利用することによって駆動力が幅広く得られるようになるので、差動機構における電気的な差動装置としての制御の効率が一層高められる。
【００３３】
また、好適には、前記自動変速部は有段式自動変速機である。このようにすれば、無段変速部の無段変速状態或いは差動機構の差動状態において、無段変速部或いは差動機構と有段式自動変速機とで無段変速機が構成され、無段変速部の電気的な無段変速作動しない変速状態例えば有段変速状態或いは差動機構のロック状態において、無段変速部或いは差動機構と有段式自動変速機とで有段変速機が構成される。
【００３４】
以下、本発明の実施例を図面を参照しつつ詳細に説明する。
【実施例１】
【００３５】
図１は、本発明の一実施例である制御装置が適用されるハイブリッド車両の駆動装置の一部を構成する変速機構１０を説明する骨子図である。図１において、変速機構１０は車体に取り付けられる非回転部材としてのトランスミッションケース１２（以下、ケース１２という）内において共通の軸心上に配設された入力回転部材としての入力軸１４と、この入力軸１４に直接に或いは図示しない脈動吸収ダンパー（振動減衰装置）を介して直接に連結された動力伝達装置としての無段変速部１１と、その無段変速部１１と駆動輪３８との間の動力伝達経路で伝達部材（伝動軸）１８を介して直列に連結されている有段式の自動変速機としての自動変速部２０と、この自動変速部２０に連結されている出力回転部材としての出力軸２２とを直列に備えている。この変速機構１０は、車両において縦置きされるＦＲ（フロントエンジン・リヤドライブ）型車両に好適に用いられるものであり、入力軸１４に直接に或いは図示しない脈動吸収ダンパーを介して直接的に連結された走行用の駆動力源として例えばガソリンエンジンやディーゼルエンジン等の内燃機関であるエンジン８と一対の駆動輪３８（図５参照）との間に設けられて、エンジン８からの動力を動力伝達経路の一部を構成する差動歯車装置（終減速機）３６および一対の車軸等を順次介して左右の駆動輪３８へ伝達する。
【００３６】
上述のように、本実施例の変速機構１０においてはエンジン８と無段変速部１１とは直結されている。この直結にはトルクコンバータやフルードカップリング等の流体式伝動装置を介することなく連結されているということであり、例えば上記脈動吸収ダンパーなどを介する連結はこの直結に含まれる。なお、変速機構１０はその軸心に対して対称的に構成されているため、図１の骨子図においてはその下側が省略されている。以下の各実施例についても同様である。
【００３７】
無段変速部１１は、第１電動機Ｍ１と、入力軸１４に入力されたエンジン８の出力を機械的に分配する機械的機構であってエンジン８の出力を第１電動機Ｍ１および伝達部材１８に分配する差動機構としての動力分配機構１６と、伝達部材１８と一体的に回転するように設けられている第２電動機Ｍ２とを備えている。なお、この第２電動機Ｍ２は伝達部材１８から駆動輪３８までの間の動力伝達経路を構成するいずれの部分に設けられてもよい。本実施例の第１電動機Ｍ１および第２電動機Ｍ２は発電機能をも有する所謂モータジェネレータであるが、第１電動機Ｍ１は反力を発生させるためのジェネレータ（発電）機能を少なくとも備え、第２電動機Ｍ２は走行用の駆動力源として駆動力を出力するためのモータ（電動機）機能を少なくとも備える。
【００３８】
動力分配機構１６は、例えば「０．４１８」程度の所定のギヤ比ρ１を有するシングルピニオン型の第１遊星歯車装置２４と、切換クラッチＣ０および切換ブレーキＢ０とを主体的に備えている。この第１遊星歯車装置２４は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を回転要素（要素）として備えている。第１サンギヤＳ１の歯数をＺＳ１、第１リングギヤＲ１の歯数をＺＲ１とすると、上記ギヤ比ρ１はＺＳ１／ＺＲ１である。
【００３９】
この動力分配機構１６においては、第１キャリヤＣＡ１は入力軸１４すなわちエンジン８に連結され、第１サンギヤＳ１は第１電動機Ｍ１に連結され、第１リングギヤＲ１は伝達部材１８に連結されている。また、切換ブレーキＢ０は第１サンギヤＳ１とケース１２との間に設けられ、切換クラッチＣ０は第１サンギヤＳ１と第１キャリヤＣＡ１との間に設けられている。それら切換クラッチＣ０および切換ブレーキＢ０が解放されると、動力分配機構１６は第１遊星歯車装置２４の３要素である第１サンギヤＳ１、第１キャリヤＣＡ１、第１リングギヤＲ１がそれぞれ相互に相対回転可能とされて差動作用が作動可能なすなわち差動作用が働く差動状態とされることから、エンジン８の出力が第１電動機Ｍ１と伝達部材１８とに分配されるとともに、分配されたエンジン８の出力の一部で第１電動機Ｍ１から発生させられた電気エネルギで蓄電されたり第２電動機Ｍ２が回転駆動されるので、無段変速部１１（動力分配機構１６）は電気的な差動装置として機能させられて例えば無段変速部１１は所謂無段変速状態（電気的ＣＶＴ状態）とされて、エンジン８の所定回転に拘わらず伝達部材１８の回転が連続的に変化させられる。すなわち、動力分配機構１６が差動状態とされると無段変速部１１も差動状態とされ、無段変速部１１はその変速比γ０（入力軸１４の回転速度／伝達部材１８の回転速度）が最小値γ０min から最大値γ０max まで連続的に変化させられる電気的な無段変速機として機能する無段変速状態とされる。
【００４０】
この状態で、上記切換クラッチＣ０或いは切換ブレーキＢ０が係合させられると動力分配機構１６は前記差動作用をしないすなわち差動作用が不能な非差動状態とされる。具体的には、上記切換クラッチＣ０が係合させられて第１サンギヤＳ１と第１キャリヤＣＡ１とが一体的に係合させられると、動力分配機構１６は第１遊星歯車装置２４の３要素である第１サンギヤＳ１、第１キャリヤＣＡ１、第１リングギヤＲ１が共に回転すなわち一体回転させられるロック状態とされて前記差動作用が不能な非差動状態とされることから、無段変速部１１も非差動状態とされる。また、エンジン８の回転と伝達部材１８の回転速度とが一致する状態となるので、無段変速部１１（動力分配機構１６）は変速比γ０が「１」に固定された変速機として機能する定変速状態すなわち有段変速状態とされる。次いで、上記切換クラッチＣ０に替えて切換ブレーキＢ０が係合させられて第１サンギヤＳ１がケース１２に連結させられると、動力分配機構１６は第１サンギヤＳ１が非回転状態とさせられるロック状態とされて前記差動作用が不能な非差動状態とされることから、無段変速部１１も非差動状態とされる。また、第１リングギヤＲ１は第１キャリヤＣＡ１よりも増速回転されるので、動力分配機構１６は増速機構として機能するものであり、無段変速部１１（動力分配機構１６）は変速比γ０が「１」より小さい値例えば０．７程度に固定された増速変速機として機能する定変速状態すなわち有段変速状態とされる。このように、本実施例では、上記切換クラッチＣ０および切換ブレーキＢ０は、無段変速部１１（動力分配機構１６）を差動状態と非差動状態とに、すなわち無段変速部１１（動力分配機構１６）を電気的な差動装置例えば変速比が連続的変化可能な無段変速機として作動する電気的な無段変速作動可能な無段変速状態（差動状態）と、電気的な無段変速作動しない変速状態例えば無段変速機として作動させず無段変速作動を非作動として変速比変化を一定にロックするロック状態すなわち１または２種類以上の変速比の単段または複数段の変速機として作動する電気的な無段変速作動しないすなわち電気的な無段変速作動不能な定変速状態（非差動状態）、換言すれば変速比が一定の１段または複数段の変速機として作動する定変速状態とに選択的に切換える差動状態切換装置として機能している。
【００４１】
自動変速部２０は、シングルピニオン型の第２遊星歯車装置２６、シングルピニオン型の第３遊星歯車装置２８、およびシングルピニオン型の第４遊星歯車装置３０を備えている。第２遊星歯車装置２６は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、例えば「０．５６２」程度の所定のギヤ比ρ２を有している。第３遊星歯車装置２８は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、例えば「０．４２５」程度の所定のギヤ比ρ３を有している。第４遊星歯車装置３０は、第４サンギヤＳ４、第４遊星歯車Ｐ４、その第４遊星歯車Ｐ４を自転および公転可能に支持する第４キャリヤＣＡ４、第４遊星歯車Ｐ４を介して第４サンギヤＳ４と噛み合う第４リングギヤＲ４を備えており、例えば「０．４２１」程度の所定のギヤ比ρ４を有している。第２サンギヤＳ２の歯数をＺＳ２、第２リングギヤＲ２の歯数をＺＲ２、第３サンギヤＳ３の歯数をＺＳ３、第３リングギヤＲ３の歯数をＺＲ３、第４サンギヤＳ４の歯数をＺＳ４、第４リングギヤＲ４の歯数をＺＲ４とすると、上記ギヤ比ρ２はＺＳ２／ＺＲ２、上記ギヤ比ρ３はＺＳ３／ＺＲ３、上記ギヤ比ρ４はＺＳ４／ＺＲ４である。
【００４２】
自動変速部２０では、第２サンギヤＳ２と第３サンギヤＳ３とが一体的に連結されて第２クラッチＣ２を介して伝達部材１８に選択的に連結されるとともに第１ブレーキＢ１を介してケース１２に選択的に連結され、第２キャリヤＣＡ２は第２ブレーキＢ２を介してケース１２に選択的に連結され、第４リングギヤＲ４は第３ブレーキＢ３を介してケース１２に選択的に連結され、第２リングギヤＲ２と第３キャリヤＣＡ３と第４キャリヤＣＡ４とが一体的に連結されて出力軸２２に連結され、第３リングギヤＲ３と第４サンギヤＳ４とが一体的に連結されて第１クラッチＣ１を介して伝達部材１８に選択的に連結されている。このように、自動変速部２０と伝達部材１８とは自動変速部２０の変速段を成立させるために用いられる第１クラッチＣ１または第２クラッチＣ２を介して選択的に連結されている。言い換えれば、第１クラッチＣ１および第２クラッチＣ２は、伝達部材１８と自動変速部２０との間すなわち無段変速部１１（伝達部材１８）と駆動輪３８との間の動力伝達経路を、その動力伝達経路の動力伝達を可能とする動力伝達可能状態と、その動力伝達経路の動力伝達を遮断する動力伝達遮断状態とに選択的に切り換える係合装置として機能している。つまり、第１クラッチＣ１および第２クラッチＣ２の少なくとの一方が係合されることで上記動力伝達経路が動力伝達可能状態とされ、或いは第１クラッチＣ１および第２クラッチＣ２が解放されることで上記動力伝達経路が動力伝達遮断状態とされる。
【００４３】
前記切換クラッチＣ０、第１クラッチＣ１、第２クラッチＣ２、切換ブレーキＢ０、第１ブレーキＢ１、第２ブレーキＢ２、および第３ブレーキＢ３は従来の車両用自動変速機においてよく用いられている油圧式摩擦係合装置であって、互いに重ねられた複数枚の摩擦板が油圧アクチュエータにより押圧される湿式多板型や、回転するドラムの外周面に巻き付けられた１本または２本のバンドの一端が油圧アクチュエータによって引き締められるバンドブレーキなどにより構成され、それが介装されている両側の部材を選択的に連結するためのものである。
【００４４】
以上のように構成された変速機構１０では、例えば、図２の係合作動表に示されるように、前記切換クラッチＣ０、第１クラッチＣ１、第２クラッチＣ２、切換ブレーキＢ０、第１ブレーキＢ１、第２ブレーキＢ２、および第３ブレーキＢ３が選択的に係合作動させられることにより、第１速ギヤ段（第１変速段）乃至第５速ギヤ段（第５変速段）のいずれか或いは後進ギヤ段（後進変速段）或いはニュートラルが選択的に成立させられ、略等比的に変化する変速比γ（＝入力軸回転速度ＮＩＮ／出力軸回転速度ＮＯＵＴ）が各ギヤ段毎に得られるようになっている。特に、本実施例では動力分配機構１６に切換クラッチＣ０および切換ブレーキＢ０が備えられており、切換クラッチＣ０および切換ブレーキＢ０の何れかが係合作動させられることによって、無段変速部１１は前述した無段変速機として作動する無段変速状態に加え、変速比が一定の変速機として作動する定変速状態を構成することが可能とされている。したがって、変速機構１０では、切換クラッチＣ０および切換ブレーキＢ０の何れかを係合作動させることで定変速状態とされた無段変速部１１と自動変速部２０とで有段変速機として作動する有段変速状態が構成され、切換クラッチＣ０および切換ブレーキＢ０の何れも係合作動させないことで無段変速状態とされた無段変速部１１と自動変速部２０とで電気的な無段変速機として作動する無段変速状態が構成される。言い換えれば、変速機構１０は、切換クラッチＣ０および切換ブレーキＢ０の何れかを係合作動させることで有段変速状態に切り換えられ、切換クラッチＣ０および切換ブレーキＢ０の何れも係合作動させないことで無段変速状態に切り換えられる。また、無段変速部１１も有段変速状態と無段変速状態とに切り換え可能な変速機であると言える。
【００４５】
例えば、変速機構１０が有段変速機として機能する場合には、図２に示すように、切換クラッチＣ０、第１クラッチＣ１および第３ブレーキＢ３の係合により、変速比γ１が最大値例えば「３．３５７」程度である第１速ギヤ段が成立させられ、切換クラッチＣ０、第１クラッチＣ１および第２ブレーキＢ２の係合により、変速比γ２が第１速ギヤ段よりも小さい値例えば「２．１８０」程度である第２速ギヤ段が成立させられ、切換クラッチＣ０、第１クラッチＣ１および第１ブレーキＢ１の係合により、変速比γ３が第２速ギヤ段よりも小さい値例えば「１．４２４」程度である第３速ギヤ段が成立させられ、切換クラッチＣ０、第１クラッチＣ１および第２クラッチＣ２の係合により、変速比γ４が第３速ギヤ段よりも小さい値例えば「１．０００」程度である第４速ギヤ段が成立させられ、第１クラッチＣ１、第２クラッチＣ２、および切換ブレーキＢ０の係合により、変速比γ５が第４速ギヤ段よりも小さい値例えば「０．７０５」程度である第５速ギヤ段が成立させられる。また、第２クラッチＣ２および第３ブレーキＢ３の係合により、変速比γＲが第１速ギヤ段と第２速ギヤ段との間の値例えば「３．２０９」程度である後進ギヤ段「Ｒ」が成立させられる。なお、ニュートラル「Ｎ」状態とする場合には、例えば切換クラッチＣ０のみが係合される。
【００４６】
しかし、変速機構１０が無段変速機として機能する場合には、図２に示される係合表の切換クラッチＣ０および切換ブレーキＢ０が共に解放される。これにより、無段変速部１１が無段変速機として機能し、それに直列の自動変速部２０が有段変速機として機能することにより、自動変速部２０の第１速、第２速、第３速、第４速の各ギヤ段に対しその自動変速部２０に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構１０全体としてのトータル変速比（総合変速比）γＴが無段階に得られるようになる。
【００４７】
図３は、差動部或いは第１変速部として機能する無段変速部１１と有段変速部或いは第２変速部として機能する自動変速部２０とから構成される変速機構１０において、ギヤ段毎に連結状態が異なる各回転要素の回転速度の相対関係を直線上で表すことができる共線図を示している。この図３の共線図は、各遊星歯車装置２４、２６、２８、３０のギヤ比ρの関係を示す横軸と、相対的回転速度を示す縦軸とから成る二次元座標であり、３本の横線のうちの下側の横線Ｘ１が回転速度零を示し、上側の横線Ｘ２が回転速度「１．０」すなわち入力軸１４に連結されたエンジン８の回転速度ＮＥを示し、横線ＸＧが伝達部材１８の回転速度を示している。
【００４８】
また、無段変速部１１を構成する動力分配機構１６の３つの要素に対応する３本の縦線Ｙ１、Ｙ２、Ｙ３は、左側から順に第２回転要素（第２要素）ＲＥ２に対応する第１サンギヤＳ１、第１回転要素（第１要素）ＲＥ１に対応する第１キャリヤＣＡ１、第３回転要素（第３要素）ＲＥ３に対応する第１リングギヤＲ１の相対回転速度を示すものであり、それらの間隔は第１遊星歯車装置２４のギヤ比ρ１に応じて定められている。さらに、自動変速部２０の５本の縦線Ｙ４、Ｙ５、Ｙ６、Ｙ７、Ｙ８は、左から順に、第４回転要素（第４要素）ＲＥ４に対応し且つ相互に連結された第２サンギヤＳ２および第３サンギヤＳ３を、第５回転要素（第５要素）ＲＥ５に対応する第２キャリヤＣＡ２を、第６回転要素（第６要素）ＲＥ６に対応する第４リングギヤＲ４を、第７回転要素（第７要素）ＲＥ７に対応し且つ相互に連結された第２リングギヤＲ２、第３キャリヤＣＡ３、第４キャリヤＣＡ４を、第８回転要素（第８要素）ＲＥ８に対応し且つ相互に連結された第３リングギヤＲ３、第４サンギヤＳ４をそれぞれ表し、それらの間隔は第２、第３、第４遊星歯車装置２６、２８、３０のギヤ比ρ２、ρ３、ρ４に応じてそれぞれ定められている。共線図の縦軸間の関係においてサンギヤとキャリヤとの間が「１」に対応する間隔とされるとキャリヤとリングギヤとの間が遊星歯車装置のギヤ比ρに対応する間隔とされる。すなわち、無段変速部１１では縦線Ｙ１とＹ２との縦線間が「１」に対応する間隔に設定され、縦線Ｙ２とＹ３との間隔はギヤ比ρ１に対応する間隔に設定される。また、自動変速部２０では各第２、第３、第４遊星歯車装置２６、２８、３０毎にそのサンギヤとキャリヤとの間が「１」に対応する間隔に設定され、キャリヤとリングギヤとの間がρに対応する間隔に設定される。
【００４９】
上記図３の共線図を用いて表現すれば、本実施例の変速機構１０は、動力分配機構１６（無段変速部１１）において、第１遊星歯車装置２４の第１回転要素ＲＥ１（第１キャリヤＣＡ１）が入力軸１４すなわちエンジン８に連結されるとともに切換クラッチＣ０を介して第２回転要素（第１サンギヤＳ１）ＲＥ２と選択的に連結され、第２回転要素ＲＥ２が第１電動機Ｍ１に連結されるとともに切換ブレーキＢ０を介してケース１２に選択的に連結され、第３回転要素（第１リングギヤＲ１）ＲＥ３が伝達部材１８および第２電動機Ｍ２に連結されて、入力軸１４の回転を伝達部材１８を介して自動変速部（有段変速部）２０へ伝達する（入力させる）ように構成されている。このとき、Ｙ２とＸ２の交点を通る斜めの直線Ｌ０により第１サンギヤＳ１の回転速度と第１リングギヤＲ１の回転速度との関係が示される。
【００５０】
例えば、上記切換クラッチＣ０および切換ブレーキＢ０の解放により無段変速状態（差動状態）に切換えられたときは、第１電動機Ｍ１の発電による反力を制御することによって直線Ｌ０と縦線Ｙ１との交点で示される第１サンギヤＳ１の回転が上昇或いは下降させられると、直線Ｌ０と縦線Ｙ３との交点で示される第１リングギヤＲ１の回転速度が下降或いは上昇させられる。また、切換クラッチＣ０の係合により第１サンギヤＳ１と第１キャリヤＣＡ１とが連結されると、動力分配機構１６は上記３回転要素が一体回転する非差動状態とされるので、直線Ｌ０は横線Ｘ２と一致させられ、エンジン回転速度ＮＥと同じ回転で伝達部材１８が回転させられる。或いは、切換ブレーキＢ０の係合によって第１サンギヤＳ１の回転が停止させられると動力分配機構１６は増速機構として機能する非差動状態とされるので、直線Ｌ０は図３に示す状態となり、その直線Ｌ０と縦線Ｙ３との交点で示される第１リングギヤＲ１すなわち伝達部材１８の回転速度は、エンジン回転速度ＮＥよりも増速された回転で自動変速部２０へ入力される。
【００５１】
また、自動変速部２０において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は第３ブレーキＢ３を介してケース１２に選択的に連結され、第７回転要素ＲＥ７は出力軸２２に連結され、第８回転要素ＲＥ８は第１クラッチＣ１を介して伝達部材１８に選択的に連結されている。
【００５２】
自動変速部２０では、図３に示すように、第１クラッチＣ１と第３ブレーキＢ３とが係合させられることにより、第８回転要素ＲＥ８の回転速度を示す縦線Ｙ８と横線Ｘ２との交点と第６回転要素ＲＥ６の回転速度を示す縦線Ｙ６と横線Ｘ１との交点とを通る斜めの直線Ｌ１と、出力軸２２と連結された第７回転要素ＲＥ７の回転速度を示す縦線Ｙ７との交点で第１速の出力軸２２の回転速度が示される。同様に、第１クラッチＣ１と第２ブレーキＢ２とが係合させられることにより決まる斜めの直線Ｌ２と出力軸２２と連結された第７回転要素ＲＥ７の回転速度を示す縦線Ｙ７との交点で第２速の出力軸２２の回転速度が示され、第１クラッチＣ１と第１ブレーキＢ１とが係合させられることにより決まる斜めの直線Ｌ３と出力軸２２と連結された第７回転要素ＲＥ７の回転速度を示す縦線Ｙ７との交点で第３速の出力軸２２の回転速度が示され、第１クラッチＣ１と第２クラッチＣ２とが係合させられることにより決まる水平な直線Ｌ４と出力軸２２と連結された第７回転要素ＲＥ７の回転速度を示す縦線Ｙ７との交点で第４速の出力軸２２の回転速度が示される。上記第１速乃至第４速では、切換クラッチＣ０が係合させられている結果、エンジン回転速度ＮＥと同じ回転速度で第８回転要素ＲＥ８に無段変速部１１すなわち動力分配機構１６からの動力が入力される。しかし、切換クラッチＣ０に替えて切換ブレーキＢ０が係合させられると、無段変速部１１からの動力がエンジン回転速度ＮＥよりも高い回転速度で入力されることから、第１クラッチＣ１、第２クラッチＣ２、および切換ブレーキＢ０が係合させられることにより決まる水平な直線Ｌ５と出力軸２２と連結された第７回転要素ＲＥ７の回転速度を示す縦線Ｙ７との交点で第５速の出力軸２２の回転速度が示される。
【００５３】
前記エンジン８は、エンジン８の負荷状態に応じて燃料供給を停止させて気筒を選択的に休止させることによりエンジン８の作動気筒数の切換えが可能な可変気筒エンジンである。例えば、軽負荷走行時においては、一部の気筒乃至全気筒への燃料供給を停止して作動気筒数を減少させる部分気筒運転（減筒運転或いは休筒運転）が行われて燃費消費量が減少させられる。また、発進時や急加速時、中・高負荷走行時においては、すべての気筒を運転する全気筒運転が行われて所望の出力が得られる。
【００５４】
図４は、本実施例の変速機構１０を制御するための電子制御装置４０に入力される信号及びその電子制御装置４０から出力される信号を例示している。この電子制御装置４０は、ＣＰＵ、ＲＯＭ、ＲＡＭ、及び入出力インターフェースなどから成る所謂マイクロコンピュータを含んで構成されており、ＲＡＭの一時記憶機能を利用しつつＲＯＭに予め記憶されたプログラムに従って信号処理を行うことによりエンジン８、第１、第２電動機Ｍ１、Ｍ２に関するハイブリッド駆動制御、自動変速部２０の変速制御等の駆動制御を実行するものである。
【００５５】
電子制御装置４０には、図４に示す各センサやスイッチなどから、エンジン水温ＴＥＭＰＷを示す信号、シフトポジションＰＳＨを表す信号、エンジン８の回転速度であるエンジン回転速度ＮＥを表す信号、ギヤ比列設定値を示す信号、Ｍ（モータ走行）モードを指令する信号、エアコンの作動を示すエアコン信号、出力軸２２の回転速度ＮＯＵＴに対応する車速Ｖを表す信号、自動変速部２０の作動油温を示す油温信号、サイドブレーキ操作を示す信号、フットブレーキ操作を示す信号、触媒温度を示す触媒温度信号、運転者の出力要求量に対応するアクセルペダルの操作量Ａccを示すアクセル開度信号、カム角信号、スノーモード設定を示すスノーモード設定信号、車両の前後加速度を示す加速度信号、オートクルーズ走行を示すオートクルーズ信号、車両の重量を示す車重信号、各車輪の車輪速を示す車輪速信号、変速機構１０を有段変速機として機能させるために無段変速部１１（動力分配機構１６）を有段変速状態（ロック状態）に切り換えるための有段スイッチ操作の有無を示す信号、変速機構１０を無段変速機として機能させるために無段変速部１１（動力分配機構１６）を無段変速状態（差動状態）に切り換えるための無段スイッチ操作の有無を示す信号、第１電動機Ｍ１の回転速度ＮＭ１（以下、第１電動機回転速度ＮＭ１という）を表す信号、第２電動機Ｍ２の回転速度ＮＭ２（以下、第２電動機回転速度ＮＭ２という）を表す信号、車両の振動を表す振動信号などが、それぞれ供給される。
【００５６】
また、上記電子制御装置４０からは、エンジン出力を制御するエンジン出力制御装置４３（図５参照）への制御信号例えばエンジン８の吸気管９５に備えられた電子スロットル弁９６の開度θＴＨを操作するスロットルアクチュエータ９７への駆動信号や燃料噴射装置９８による上記吸気管９５への燃料供給量を制御する燃料供給量信号や点火装置９９によるエンジン８の点火時期を指令する点火信号、過給圧を調整するための過給圧調整信号、電動エアコンを作動させるための電動エアコン駆動信号、電動機Ｍ１およびＭ２の作動を指令する指令信号、シフトインジケータを作動させるためのシフトポジション（操作位置）表示信号、ギヤ比を表示させるためのギヤ比表示信号、スノーモードであることを表示させるためのスノーモード表示信号、制動時の車輪のスリップを防止するＡＢＳアクチュエータを作動させるためのＡＢＳ作動信号、Ｍモードが選択されていることを表示させるＭモード表示信号、無段変速部１１や自動変速部２０の油圧式摩擦係合装置の油圧アクチュエータを制御するために油圧制御回路４２（図５参照）に含まれる電磁弁を作動させるバルブ指令信号、上記油圧制御回路４２の油圧源である電動油圧ポンプを作動させるための駆動指令信号、電動ヒータを駆動するための信号、クルーズコントロール制御用コンピュータへの信号への制御信号等が、それぞれ出力される。
【００５７】
図５は、電子制御装置４０による制御機能の要部を説明する機能ブロック線図である。図５において、有段変速制御手段５４は、例えば記憶手段５６に予め記憶された図６の実線および一点鎖線に示す変速線図（変速マップ）から車速Ｖおよび自動変速部２０の出力トルクＴＯＵＴで示される車両状態に基づいて変速機構１０の変速を実行すべきか否かを判断してすなわち変速機構１０の変速すべき変速段を判断して自動変速部２０の自動変速制御を実行する。例えば、有段変速制御手段５４は、図２に示す係合表に従って変速段が達成されるように切換クラッチＣ０および切換ブレーキＢ０を除いた油圧式摩擦係合装置を係合および／または解放させる指令を油圧制御回路４２へ出力する。
【００５８】
ハイブリッド制御手段５２は、変速機構１０の前記無段変速状態すなわち無段変速部１１の差動状態においてエンジン８を効率のよい作動域で作動させる一方で、エンジン８と第２電動機Ｍ２との駆動力の配分や第１電動機Ｍ１の発電による反力を最適になるように変化させて無段変速部１１の電気的な無段変速機としての変速比γ０を制御する。例えば、そのときの走行車速において、運転者の出力要求量としてのアクセルペダル操作量Ａccや車速Ｖから車両の目標（要求）出力を算出し、その車両の目標出力と充電要求値から必要なトータル目標出力を算出し、そのトータル目標出力が得られるように伝達損失、補機負荷、第２電動機Ｍ２のアシストトルク等を考慮して目標エンジン出力を算出し、その目標エンジン出力が得られるエンジン回転速度ＮＥとエンジントルクＴＥとなるようにエンジン８を制御するとともに第１電動機Ｍ１の発電量を制御する。言い換えれば、ハイブリッド制御手段５２は同じ車速および同じ自動変速部２０のギヤ比すなわち伝達部材１８の回転速度が同じであっても、第１電動機Ｍ１の発電量を制御することでエンジン回転速度ＮＥを制御することが可能である。
【００５９】
ハイブリッド制御手段５２は、その制御を動力性能や燃費向上などのために自動変速部２０の変速段を考慮して実行する。このようなハイブリッド制御では、エンジン８を効率のよい作動域で作動させるために定まるエンジン回転速度ＮＥと車速Ｖおよび自動変速部２０の変速段で定まる伝達部材１８の回転速度とを整合させるために、無段変速部１１が電気的な無段変速機として機能させられる。すなわち、ハイブリッド制御手段５２は例えばエンジン回転速度ＮＥとエンジン８の出力トルク（エンジントルク）ＴＥとをパラメータとする二次元座標内において無段変速走行の時に運転性と燃費性とを両立するように予め実験的に定められたエンジン８の最適燃費率曲線（燃費マップ、関係）を予め記憶しており、その最適燃費率曲線に沿ってエンジン８が作動させられるように、例えば目標出力（トータル目標出力、要求駆動力）を充足するために必要なエンジン出力を発生するためのエンジントルクＴＥとエンジン回転速度ＮＥとなるように変速機構１０のトータル変速比γＴの目標値を定め、その目標値が得られるように無段変速部１１の変速比γ０を制御し、トータル変速比γＴをその変速可能な変化範囲内例えば１３〜０．５の範囲内で制御する。
【００６０】
このとき、ハイブリッド制御手段５２は、第１電動機Ｍ１により発電された電気エネルギをインバータ５８を通して蓄電装置６０や第２電動機Ｍ２へ供給するので、エンジン８の動力の主要部は機械的に伝達部材１８へ伝達されるが、エンジン８の動力の一部は第１電動機Ｍ１の発電のために消費されてそこで電気エネルギに変換され、インバータ５８を通して電気エネルギが第２電動機Ｍ２へ供給され、その第２電動機Ｍ２が駆動されて第２電動機Ｍ２から伝達部材１８へ伝達される。この電気エネルギの発生から第２電動機Ｍ２で消費されるまでに関連する機器により、エンジン８の動力の一部を電気エネルギに変換し、その電気エネルギを機械的エネルギに変換するまでの電気パスが構成される。
【００６１】
ハイブリッド制御手段５２は、スロットル制御のためにスロットルアクチュエータ９７により電子スロットル弁９６を開閉制御させる他、燃料噴射制御のために燃料噴射装置９８による燃料噴射量や噴射時期を制御させ、点火時期制御のためにイグナイタ等の点火装置９９による点火時期を制御させる指令を単独で或いは組み合わせてエンジン出力制御装置４３に出力して必要なエンジン出力を発生するようにエンジン８の出力制御を実行するエンジン出力制御手段を機能的に備えている。例えば、ハイブリッド制御手段５２は、基本的には図示しない予め記憶された関係からアクセル開度信号Ａccに基づいてスロットルアクチュエータ６０を駆動し、アクセル開度Ａccが増加するほどスロットル弁開度θＴＨを増加させるようにスロットル制御を実行する。
【００６２】
また、ハイブリッド制御手段５２は、エンジン８の出力制御のためにエンジン８の作動気筒数を切り換える作動気筒数切換制御手段を機能的に備え、車速Ｖやアクセルペダル操作量Ａccなどに基づいて、予め実験的に求められた定速走行のような軽負荷走行時、車両発進時やアクセルペダルが大きく踏込操作される急加速時のような中・高負荷走行時などの車両状態に応じた作動気筒数を判断し、その作動気筒数となるようにエンジン８の作動気筒数の切換えを実行する。例えば、ハイブリッド制御手段５２は、一部の気筒乃至全気筒への燃料噴射装置９８による燃料供給を停止させてエンジン８を部分気筒運転状態とし、全気筒へ燃料噴射装置９８により燃料を供給させてエンジン８を全気筒運転状態とする。特に、上記全気筒への燃料噴射装置９８による燃料供給の停止は所謂フューエルカット作動である。
【００６３】
また、ハイブリッド制御手段５２は、第１電動機Ｍ１からの電気エネルギ以外に蓄電装置６０から第２電動機Ｍ２に電気エネルギを供給し第２電動機Ｍ２を駆動してエンジン８の動力を補助するトルクアシストが可能である。
【００６４】
また、ハイブリッド制御手段５２は、エンジン８の作動停止状態であっても無段変速部１１の電気的ＣＶＴ機能（差動作用）によって電動機のみ例えば第２電動機Ｍ２のみを走行用の駆動力源として車両を発進および走行させる所謂モータ発進およびモータ走行させることができる。このモータ発進時およびモータ走行時には、ハイブリッド制御手段５２は、作動していないエンジン８の引き摺りを抑制して燃費を向上させるために、第１電動機回転速度ＮＭ１を負の回転速度で制御例えば空転させて無段変速部１１の差動作用によりエンジン回転速度ＮＥが零乃至略零に維持される。
【００６５】
また、ハイブリッド制御手段５２は、前記モータ発進に替えてエンジン８を駆動力源として車両を発進させるすなわちエンジン発進させる場合には、第１電動機Ｍ１の発電による反力を制御することで動力分配機構１６の差動作用により伝達部材１８の回転速度を引き上げてエンジン発進を制御する。ハイブリッド制御手段５２によるモータ発進およびモータ走行は、一般的にエンジン効率が高トルク域に比較して悪いとされる比較的低出力トルク域すなわち低エンジントルク域、或いは車速Ｖの比較的低車速域すなわち低負荷域で表されるモータ走行領域で実行される。よって、通常はモータ発進がエンジン発進に優先して実行されるが、例えば車両発進時にそのモータ走行領域を超える要求出力トルクＴＯＵＴすなわち要求エンジントルクＴＥとされる程大きくアクセルペダルが踏込操作されるような車両状態によってはエンジン発進も通常実行されるものである。
【００６６】
また、ハイブリッド制御手段５２は、車両の停止状態又は低車速状態に拘わらず、無段変速部１１の電気的ＣＶＴ機能によってエンジン８の作動状態を維持させられる。例えば、車両停止時に蓄電装置６０の充電状態ＳＯＣが低下して第１電動機Ｍ１による発電が必要となった場合には、エンジン８の動力により第１電動機Ｍ１が発電させられてその第１電動機Ｍ１の回転速度が引き上げられ、車速Ｖで一意的に決められる第２電動機回転速度ＮＭ２が車両停止状態により零（略零）となっても動力分配機構１６の差動作用によってエンジン回転速度ＮＥが自律回転可能な回転速度以上に維持される。
【００６７】
また、ハイブリッド制御手段５２は、車両の停止中又は走行中に拘わらず、無段変速部１１の電気的ＣＶＴ機能によって第１電動機回転速度ＮＭ１および／または第２電動機回転速度ＮＭ２を制御してエンジン回転速度ＮＥを一定に維持したり任意の回転速度に回転制御させられる。言い換えれば、ハイブリッド制御手段５２は、エンジン回転速度ＮＥを一定に維持したり任意の回転速度に制御しつつ第１電動機回転速度ＮＭ１および／または第２電動機回転速度ＮＭ２を任意の回転速度に回転制御することができる。例えば、図３の共線図からもわかるようにハイブリッド制御手段５２は第２電動機回転速度ＮＭ２を引き下げる場合には、エンジン回転速度ＮＥを略一定に維持しつつ第２電動機回転速度ＮＭ２の引き下げと第１電動機回転速度ＮＭ１の引き上げとを実行する。或いは、ハイブリッド制御手段５２は車両走行中にエンジン回転速度ＮＥを引き下げる場合には、車速Ｖに拘束される第２電動機回転速度ＮＭ２を略一定に維持しつつ第１電動機回転速度ＮＭ１の引き下げを実行する。
【００６８】
また、ハイブリッド制御手段５２は、蓄電装置６０からインバータ５８を介して供給される第１電動機Ｍ１および第２電動機Ｍ２への駆動電流を遮断して第１電動機Ｍ１および第２電動機Ｍ２を無負荷状態とする。第１電動機Ｍ１および第２電動機Ｍ２は無負荷状態とされると自由回転することすなわち空転することが許容され、無段変速部１１はトルクの伝達が不能な状態すなわち無段変速部１１内の動力伝達経路が遮断された状態と同等の状態とされる。すなわち、ハイブリッド制御手段５２は、第１電動機Ｍ１および第２電動機Ｍ２を無負荷状態とすることにより無段変速部１１をその動力伝達経路が電気的に遮断される中立状態（ニュートラル状態）とする。
【００６９】
増速側ギヤ段判定手段６２は、変速機構１０を有段変速状態とする際に切換クラッチＣ０および切換ブレーキＢ０のいずれを係合させるかを判定するために、例えば車両状態に基づいて記憶手段５６に予め記憶された前記図６に示す変速線図に従って変速機構１０の変速されるべき変速段が増速側ギヤ段例えば第５速ギヤ段であるか否かを判定する。
【００７０】
切換制御手段５０は、例えば記憶手段５６に予め記憶された前記図６の破線および二点鎖線に示す切換線図（切換マップ、関係）から車速Ｖおよび要求出力トルクＴＯＵＴで示される車両状態に基づいて変速機構１０の変速状態を切り換えるべきか否かを判断してすなわち変速機構１０を無段変速状態とする無段制御領域内であるか或いは変速機構１０を有段変速状態とする有段制御領域内であるかを判定することにより変速機構１０の切り換えるべき変速状態を判断して、変速機構１０を前記無段変速状態と前記有段変速状態とのいずれかに選択的に切り換える。
【００７１】
具体的には、切換制御手段５０は有段変速制御領域内であると判定した場合は、ハイブリッド制御手段５２に対してハイブリッド制御或いは無段変速制御を不許可すなわち禁止とする信号を出力するとともに、有段変速制御手段５４に対しては、予め設定された有段変速時の変速制御を許可する。このときの有段変速制御手段５４は、記憶手段５６に予め記憶された例えば図６に示す変速線図に従って自動変速部２０の自動変速制御を実行する。例えば記憶手段５６に予め記憶された図２は、このときの変速制御において選択される油圧式摩擦係合装置すなわちＣ０、Ｃ１、Ｃ２、Ｂ０、Ｂ１、Ｂ２、Ｂ３の作動の組み合わせを示している。すなわち、変速機構１０全体すなわち無段変速部１１および自動変速部２０が所謂有段式自動変速機として機能し、図２に示す係合表に従って変速段が達成される。
【００７２】
例えば、増速側ギヤ段判定手段６２により第５速ギヤ段が判定される場合には、変速機構１０全体として変速比が１．０より小さな増速側ギヤ段所謂オーバードライブギヤ段が得られるために切換制御手段５０は無段変速部１１が固定の変速比γ０例えば変速比γ０が０．７の副変速機として機能させられるように切換クラッチＣ０を解放させ且つ切換ブレーキＢ０を係合させる指令を油圧制御回路４２へ出力する。また、増速側ギヤ段判定手段６２により第５速ギヤ段でないと判定される場合には、変速機構１０全体として変速比が１．０以上の減速側ギヤ段が得られるために切換制御手段５０は無段変速部１１が固定の変速比γ０例えば変速比γ０が１の副変速機として機能させられるように切換クラッチＣ０を係合させ且つ切換ブレーキＢ０を解放させる指令を油圧制御回路４２へ出力する。このように、切換制御手段５０によって変速機構１０が有段変速状態に切り換えられるとともに、その有段変速状態における２種類の変速段のいずれかとなるように選択的に切り換えられて、無段変速部１１が副変速機として機能させられ、それに直列の自動変速部２０が有段変速機として機能することにより、変速機構１０全体が所謂有段式自動変速機として機能させられる。
【００７３】
しかし、切換制御手段５０は、変速機構１０を無段変速状態に切り換える無段変速制御領域内であると判定した場合は、変速機構１０全体として無段変速状態が得られるために無段変速部１１を無段変速状態として無段変速可能とするように切換クラッチＣ０および切換ブレーキＢ０を解放させる指令を油圧制御回路４２へ出力する。同時に、ハイブリッド制御手段５２に対してハイブリッド制御を許可する信号を出力するとともに、有段変速制御手段５４には、予め設定された無段変速時の変速段に固定する信号を出力するか、或いは記憶手段５６に予め記憶された例えば図６に示す変速線図に従って自動変速部２０を自動変速することを許可する信号を出力する。この場合、有段変速制御手段５４により、図２の係合表内において切換クラッチＣ０および切換ブレーキＢ０の係合を除いた作動により自動変速が行われる。このように、切換制御手段５０により無段変速状態に切り換えられた無段変速部１１が無段変速機として機能し、それに直列の自動変速部２０が有段変速機として機能することにより、適切な大きさの駆動力が得られると同時に、自動変速部２０の第１速、第２速、第３速、第４速の各ギヤ段に対しその自動変速部２０に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構１０全体として無段変速状態となりトータル変速比γＴが無段階に得られるようになる。
【００７４】
ここで前記図６について詳述すると、図６は自動変速部２０の変速判断の基となる記憶手段５６に予め記憶された変速線図（変速マップ、関係）であり、車速Ｖと駆動力関連値である要求出力トルクＴＯＵＴとをパラメータとする二次元座標で構成された変速線図の一例である。図６の実線はアップシフト線であり一点鎖線はダウンシフト線である。また、図６の破線は切換制御手段５０による有段制御領域と無段制御領域との判定のための判定車速Ｖ１および判定出力トルクＴ１を示している。つまり、図６の破線はハイブリッド車両の高速走行を判定するための予め設定された高速走行判定値である判定車速Ｖ１の連なりである高車速判定線と、ハイブリッド車両の駆動力に関連する駆動力関連値例えば自動変速部２０の出力トルクＴＯＵＴが高出力となる高出力走行を判定するための予め設定された高出力走行判定値である判定出力トルクＴ１の連なりである高出力走行判定線とを示している。さらに、図６の破線に対して二点鎖線に示すように有段制御領域と無段制御領域との判定にヒステリシスが設けられている。つまり、この図６は判定車速Ｖ１および判定出力トルクＴ１を含む、車速Ｖと出力トルクＴＯＵＴとをパラメータとして切換制御手段５０により有段制御領域と無段制御領域とのいずれであるかを領域判定するための予め記憶された切換線図（切換マップ、関係）である。なお、この切換線図を含めて変速マップとして記憶手段５６に予め記憶されてもよい。また、この切換線図は判定車速Ｖ１および判定出力トルクＴ１の少なくとも１つを含むものであってもよいし、車速Ｖおよび出力トルクＴＯＵＴの何れかをパラメータとする予め記憶された切換線であってもよい。
【００７５】
上記変速線図や切換線図等は、マップとしてではなく実際の車速Ｖと判定車速Ｖ１とを比較する判定式、出力トルクＴＯＵＴと判定出力トルクＴ１とを比較する判定式等として記憶されてもよい。この場合には、切換制御手段５０は、車両状態例えば実際の車速が判定車速Ｖ１を越えたときに変速機構１０を有段変速状態とする。また、切換制御手段５０は、車両状態例えば有段変速部２０の出力トルクＴＯＵＴが判定出力トルクＴ１を越えたときに変速機構１０を有段変速状態とする。また、無段変速部１１を電気的な無段変速機として作動させるための電動機等の電気系の制御機器の故障や機能低下時、例えば第１電動機Ｍ１における電気エネルギの発生からその電気エネルギが機械的エネルギに変換されるまでの電気パスに関連する機器の機能低下すなわち第１電動機Ｍ１、第２電動機Ｍ２、インバータ５８、蓄電装置６０、それらを接続する伝送路などの故障（フェイル）や、故障とか低温による機能低下が発生したような車両状態となる場合には、無段制御領域であっても車両走行を確保するために切換制御手段５０は変速機構１０を優先的に有段変速状態としてもよい。
【００７６】
上記駆動力関連値とは、車両の駆動力に１対１に対応するパラメータであって、駆動輪３８での駆動トルク或いは駆動力のみならず、例えば自動変速部２０の出力トルクＴＯＵＴ、エンジントルクＴＥ、車両加速度や、例えばアクセル開度或いはスロットル弁開度θＴＨ（或いは吸入空気量、空燃比、燃料噴射量）とエンジン回転速度ＮＥとに基づいて算出されるエンジントルクＴＥなどの実際値や、運転者のアクセルペダル操作量或いはスロットル開度等に基づいて算出される要求（目標）エンジントルクＴＥ、自動変速部２０の要求（目標）出力トルクＴＯＵＴ、要求駆動力等の推定値であってもよい。また、上記駆動トルクは出力トルクＴＯＵＴ等からデフ比、駆動輪３８の半径等を考慮して算出されてもよいし、例えばトルクセンサ等によって直接検出されてもよい。上記他の各トルク等も同様である。
【００７７】
また、例えば判定車速Ｖ１は、高速走行において変速機構１０が無段変速状態とされるとかえって燃費が悪化するのを抑制するように、その高速走行において変速機構１０が有段変速状態とされるように設定されている。また、判定トルクＴ１は、車両の高出力走行において第１電動機Ｍ１の反力トルクをエンジンの高出力域まで対応させないで第１電動機Ｍ１を小型化するために、例えば第１電動機Ｍ１からの電気エネルギの最大出力を小さくして配設可能とされた第１電動機Ｍ１の特性に応じて設定される。
【００７８】
図７は、エンジン回転速度ＮＥとエンジントルクＴＥとをパラメータとして切換制御手段５０により有段制御領域と無段制御領域とのいずれであるかを領域判定するための境界線としてのエンジン出力線を有し、記憶手段５６に予め記憶された切換線図（切換マップ、関係）である。切換制御手段５０は、図６の切換線図に替えてこの図７の切換線図からエンジン回転速度ＮＥとエンジントルクＴＥとに基づいて、それらのエンジン回転速度ＮＥとエンジントルクＴＥとで表される車両状態が無段制御領域内であるか或いは有段制御領域内であるかを判定してもよい。また、この図７は図６の破線を作るための概念図でもある。言い換えれば、図６の破線は図７の関係図（マップ）に基づいて車速Ｖと出力トルクＴＯＵＴとをパラメータとする二次元座標上に置き直された切換線でもある。
【００７９】
図６の関係に示されるように、出力トルクＴＯＵＴが予め設定された判定出力トルクＴ１以上の高トルク領域、或いは車速Ｖが予め設定された判定車速Ｖ１以上の高車速領域が、有段制御領域として設定されているので有段変速走行がエンジン８の比較的高トルクとなる高駆動トルク時、或いは車速の比較的高車速時において実行され、無段変速走行がエンジン８の比較的低トルクとなる低駆動トルク時、或いは車速の比較的低車速時すなわちエンジン８の常用出力域において実行されるようになっている。同様に、図７の関係に示されるように、エンジントルクＴＥが予め設定された所定値ＴＥ１以上の高トルク領域、エンジン回転速度ＮＥが予め設定された所定値ＮＥ１以上の高回転領域、或いはそれらエンジントルクＴＥおよびエンジン回転速度ＮＥから算出されるエンジン出力が所定以上の高出力領域が、有段制御領域として設定されているので、有段変速走行がエンジン８の比較的高トルク、比較的高回転速度、或いは比較的高出力時において実行され、無段変速走行がエンジン８の比較的低トルク、比較的低回転速度、或いは比較的低出力時すなわちエンジン８の常用出力域において実行されるようになっている。図７における有段制御領域と無段制御領域との間の境界線は、高車速判定値の連なりである高車速判定線および高出力走行判定値の連なりである高出力走行判定線に対応している。
【００８０】
これによって、例えば、車両の低中速走行および低中出力走行では、変速機構１０が無段変速状態とされて車両の燃費性能が確保されるが、実際の車速Ｖが前記判定車速Ｖ１を越えるような高速走行では変速機構１０が有段の変速機として作動する有段変速状態とされ専ら機械的な動力伝達経路でエンジン８の出力が駆動輪３８へ伝達されて電気的な無段変速機として作動させる場合に発生する動力と電気エネルギとの間の変換損失が抑制されて燃費が向上させられる。また、出力トルクＴＯＵＴなどの前記駆動力関連値が判定トルクＴ１を越えるような高出力走行では変速機構１０が有段の変速機として作動する有段変速状態とされ専ら機械的な動力伝達経路でエンジン８の出力が駆動輪３８へ伝達されて電気的な無段変速機として作動させる領域が車両の低中速走行および低中出力走行となって、第１電動機Ｍ１が発生すべき電気的エネルギ換言すれば第１電動機Ｍ１が伝える電気的エネルギの最大値を小さくできて第１電動機Ｍ１或いはそれを含む車両の駆動装置が一層小型化される。また、他の考え方として、この高出力走行においては燃費に対する要求より運転者の駆動力に対する要求が重視されるので、無段変速状態より有段変速状態（定変速状態）に切り換えられるのである。これによって、ユーザは、例えば図８に示すような有段自動変速走行におけるアップシフトに伴うエンジン回転速度ＮＥの変化すなわち変速に伴うリズミカルなエンジン回転速度ＮＥの変化が楽しめる。
【００８１】
図９は、図５にも示すように人為的操作により動力分配機構１６の差動状態と非差動状態（ロック状態）すなわち変速機構１０（無段変速部１１）の無段変速状態と有段変速状態との切換え選択するための変速状態選択装置としてのシーソー型スイッチ４４（以下、スイッチ４４と表す）の一例でありユーザにより手動操作可能に車両に備えられている。このスイッチ４４は、ユーザが所望する変速状態での車両走行を選択可能とするものであり、無段変速走行に対応するスイッチ４４の無段と表示された無段変速走行指令釦或いは有段変速走行に対応する有段と表示された有段変速走行指令釦をユーザにより押されることで、それぞれ無段変速走行すなわち変速機構１０を電気的な無段変速機として作動可能な無段変速状態とするか、或いは有段変速走行すなわち変速機構１０を有段変速機として作動可能な有段変速状態とするかが選択可能とされる。例えば、ユーザは無段変速機のフィーリングや燃費改善効果が得られる走行を所望すれば変速機構１０が無段変速状態とされるように手動操作により選択する。また、ユーザは有段変速機の変速に伴うリズミカルなエンジン回転速度ＮＥの変化を所望すれば変速機構１０が有段変速状態とされるように手動操作により選択する。また、スイッチ４４には無段変速走行或いは有段変速走行の何れも選択されない状態である中立位置が設けられており、無段変速走行或いは有段変速走行の何れにも固定しない変速状態が選択可能とされる。例えば、ユーザは所望する変速状態がない場合や固定したくない場合すなわち車両走行において走行状態を無段変速走行或いは有段変速走行に固定したくない場合には、スイッチ４４をその中立位置とする。
【００８２】
図５に戻り、手動選択操作判定手段８０は、スイッチ４４の選択状態すなわち無段変速走行指令釦、有段変速走行指令釦、および中立位置のいずれが選択されている状態かを判定する。また、手動選択操作判定手段８０は、スイッチ４４の選択状態を判定することで、無段変速走行か有段変速走行かがユーザにより強制されているか否かを判定する。つまり、手動選択操作判定手段８０は、無段変速走行指令釦と有段変速走行指令釦との何れかが選択されている状態であると判定した場合には、無段変速走行か有段変速走行かが手動操作により強制されて変速状態がユーザにより固定されていると判定する。
【００８３】
前記切換制御手段５０は、上記手動選択操作判定手段８０により判定されたスイッチ４４の選択状態に基づいて予め記憶された有段変速制御領域或いは無段変速制御領域を変更する変速状態領域変更手段８２を備え、その変速状態領域変更手段８２により変更された領域に基づいて変速機構１０を無段変速状態と有段変速状態とのいずれかに選択的に切り替える。つまり、切換制御手段５０は、スイッチ４４において無段変速状態とするか或いは有段変速状態とするかがユーザにより選択操作された場合には、例えば図６に示す切換線図から車両状態の変化に基づいて実行される変速機構１０の変速状態の自動切換制御作動に替えて、ユーザによるスイッチ４４の選択操作に従って優先的に変速機構１０を無段変速状態と有段変速状態とに切り換える。
【００８４】
具体的には、上記変速状態領域変更手段８２は手動選択操作判定手段８０によりスイッチ４４において無段変速走行と有段変速走行との何れかが選択されている状態かが判定された場合にはその判定結果に基づいて予め記憶された有段変速制御領域および無段変速制御領域において一方の領域の全てを他方の領域に変更する。例えば、図６の切換線図において破線（二点鎖線）に示される有段制御領域と無段制御領域との間の境界線が無くなり前記無段制御領域と前記有段制御領域とのいずれか一方に領域が変更される。
【００８５】
そして、切換制御手段５０は、上記変速状態領域変更手段８２により変更された領域に基づいて変速機構１０を無段変速状態と有段変速状態とのいずれかに選択的に切り替える。また、切換制御手段５０は、手動選択操作判定手段８０により無段変速走行か有段変速走行かがユーザにより強制されていないと判定される場合であるスイッチ４４が前記中立位置の状態であるときすなわちユーザによって所望する変速状態が選択されていないときや所望する変速状態が自動切換のときには、例えば前述したように図６の切換線図から変速機構１０を前記無段変速状態と前記有段変速状態とのいずれかに選択的に切り換える。すなわち切換制御手段５０により前記無段変速状態と前記有段変速状態とが手動操作による切換えでなく車両状態に基づいて自動的に切り換えられる。
【００８６】
ところで、車両の走行中においては様々な振動または騒音が発生しているが、この振動または騒音は乗員の快適性の観点や車外騒音など環境に及ぼす影響を考えると極力そのレベルを低減させることが望ましい。例えば、エンジン８の周期的な気筒点火（爆発）やピストンの往復運動に伴うエンジン８のトルク変動による回転変動が強制源（振動源、振動強制力）となって振動が発生し、特定のトルク変動の周期すなわち気筒点火（爆発）の周期で発生する車両の振動系の共振によりその振動が増幅され、車体に伝達されたその振動そのものまたはその振動により生じた騒音例えばこもり音がそれらの大きさによっては乗員に不快感等を与える可能性があった。特に、本実施例ではエンジン８と駆動輪３８との間の動力伝達経路が直接的に連結されているのでトルクコンバータ等の流体伝動装置を介して連結されている場合に比較して車両の振動系の共振としての駆動系（動力伝達系）例えば変速機構１０のねじり共振が発生しやすい可能性があった。以下、本実施例では、上記振動または騒音を振動騒音として表す。
【００８７】
そこで、上記振動騒音の発生を抑制するために車両の振動系の共振例えば駆動系のねじり共振の発生を抑制する必要がある。本実施例では、車両の振動騒音を所定値以上とする駆動系のねじり共振が発生しないように、その駆動系のねじり共振が発生しやすい車両状態を回避する。例えば、その車両状態として強制源の振動周波数すなわちエンジン８のトルク変動の周期に着目し、そのトルク変動の周期が駆動系のねじり共振が発生しやすい所定のトルク変動の周期領域を回避するように制御する。この所定のトルク変動の周期は、車両の振動騒音を所定値以上とするような駆動系のねじり共振が発生するトルク変動の周期であって、予め実験等により求められて記憶されているものである。また、上記所定値以上の振動騒音は、乗員の快適性の観点や車外騒音など環境に及ぼす影響を考慮して予め実験的に定められたものである。
【００８８】
また、本実施例の無段変速部１１は無段変速状態と有段変速状態とに選択的に切換え可能であって、無段変速部１１の無段変速状態においてはエンジン回転速度ＮＥが車速Ｖに拘束されない自由回転状態でエンジン８と駆動輪３８とが連結され、無段変速部１１の有段変速状態においてはエンジン回転速度ＮＥが車速Ｖに拘束される状態でエンジン８と駆動輪３８とが連結される。そうすると無段変速部１１の無段変速状態と有段変速状態とではそれぞれ異なる共振点となることから、上記所定のトルク変動の周期領域を回避するための制御は無段変速部１１の無段変速状態と有段変速状態とを考慮して実行する必要がある。以下に、その制御作動について具体的に説明する。
【００８９】
有段強制領域判定手段８４は、前記手動選択操作判定手段８０により無段変速走行か有段変速走行かがユーザにより強制されていないと判定された場合には、変速機構１０が無段変速状態と有段変速状態とのいずれとされているかを判定する。例えば、有段強制領域判定手段８４は、前記図６に示す切換線図から車速Ｖおよび出力トルクＴＯＵＴで示される車両状態に基づいて無段変速部１１（変速機構１０）を有段変速状態とする有段制御領域内であるか否かを判定する。言い換えれば、有段強制領域判定手段８４は、車両状態に基づいて第１電動機Ｍ１がエンジントルクＴＥに対応した反力トルクを受け持つことが想定されておらず無段変速部１１を有段変速状態としなければ適切な車両走行が確保されない領域であるか否か、すなわち車両状態に基づいて無段変速部１１（変速機構１０）の有段変速状態（有段変速走行）が強制されるような前記図７に示すエンジントルクＴＥが所定値以上の有段制御領域であるか否かを判定する。
【００９０】
変動周期切換制御手段８６は、車両の振動騒音を所定値以上とする車両の振動系の共振が発生しないように無段変速部１１の無段変速状態と有段変速状態とに応じてすなわち上記有段強制領域判定手段８４による判定結果に応じてエンジン８のトルク変動の周期を切り換える。つまり、変動周期切換制御手段８６は、車両の振動騒音を所定値以上とする車両の振動系の共振が発生しないように無段変速部１１の無段変速状態と有段変速状態とに応じてエンジン８の仕様を切り換える。
【００９１】
具体的には、変動周期切換制御手段８６は、有段強制領域判定手段８４により無段変速部１１が有段変速状態とされる有段制御領域内であると判定された場合には、無段変速部１１の有段変速状態において上記車両の振動系の共振の発生が回避されるように、略同じエンジン回転速度ＮＥにおいてそのトルク変動の周期を切り換える。すなわち、変動周期切換制御手段８６は、エンジン８のトルク変動の周期が無段変速部１１の有段変速状態において駆動系のねじり共振が発生しやすい予め実験等により求められた所定のトルク変動の周期領域を回避するように、略同じエンジン回転速度ＮＥにおいてそのトルク変動の周期を切り換える。このように、変動周期切換制御手段８６は、有段強制領域判定手段８４により無段変速部１１が有段変速状態とされる有段制御領域内であると判定された場合には、有段変速状態において上記車両の振動系の共振の発生が回避されるようにトルク変動の周期を切り換える予め実験等により求められた有段用エンジン仕様を設定する。
【００９２】
また、変動周期切換制御手段８６は、有段強制領域判定手段８４により無段変速部１１が有段変速状態とされる有段制御領域内でないと判定された場合には、無段変速部１１の無段変速状態において上記車両の振動系の共振の発生が回避されるように、略同じエンジン回転速度ＮＥにおいてそのトルク変動の周期を切り換える。すなわち、変動周期切換制御手段８６は、エンジン８のトルク変動の周期が無段変速部１１の無段変速状態において駆動系のねじり共振が発生しやすい予め実験等により求められた所定のトルク変動の周期領域を回避するように、略同じエンジン回転速度ＮＥにおいてそのトルク変動の周期を切り換える。このように、変動周期切換制御手段８６は、有段強制領域判定手段８４により無段変速部１１が有段変速状態とされる有段制御領域内でないと判定された場合には、無段変速状態において上記車両の振動系の共振の発生が回避されるようにトルク変動の周期を切り換える予め実験等により求められた無段用エンジン仕様を設定する。
【００９３】
また、変動周期切換制御手段８６は、上記トルク変動の周期の切換えを、ハイブリッド制御手段５２にエンジン回転速度ＮＥを維持させながらエンジン８の作動気筒数を切り換えさせることにより実行する。これにより、エンジン８の気筒点火（爆発）の回数に対応するようにしてすなわちエンジントルクＴＥの発生する気筒数に対応するようにして上記トルク変動の周期が切り換えられる。このとき、エンジン８の作動気筒数が切り換えられる前後で略同じエンジントルクＴＥとなるように、変動周期切換制御手段８６は、ハイブリッド制御手段５２にスロットル制御や燃料噴射制御などを実行させてもよい。
【００９４】
振動騒音回避判定手段８８は、前記有段強制領域判定手段８４により無段変速部１１が有段変速状態とされる有段制御領域内でないと判定された場合に実行された前記変動周期切換制御手段８６による無段用エンジン仕様の設定において、上記所定値以上の車両の振動騒音が回避されたか否かを判定する。例えば、振動騒音回避判定手段８８は、車両の加速度を示す加速度信号、車両の振動を表す振動信号、或いは図示しないマイクロフォンにより検出される車室内騒音に基づいて前記所定値以上の振動騒音が実車上で発生しているか否かを判定することにより、上記所定値以上の車両の振動騒音が回避されていないか否かを判定する。
【００９５】
別の見方をすれば、無段変速部１１の無段変速状態においては有段変速状態と異なりエンジン回転速度ＮＥが車速Ｖに拘束されない自由回転状態とされてハイブリッド制御手段５２により第１電動機Ｍ１を用いてエンジン回転速度ＮＥが回転制御されて車両の振動系の共振を発生する所定エンジン回転速度領域が回避され得るので、上記振動騒音回避判定手段８８は上記所定値以上の車両の振動騒音が回避されていないか否かを判定することで、その所定エンジン回転速度領域の回避を実行すべきか否かを判定する。この所定エンジン回転速度領域は、車両の振動騒音を所定値以上とするような駆動系のねじり共振が発生する予め実験等により求められて記憶手段５６に記憶されているエンジン回転速度ＮＥである。
【００９６】
共振抑制制御手段９０は、車両の振動系の共振が発生しないように無段変速部１１の無段変速状態において第１電動機Ｍ１および／または第２電動機Ｍ２を用いてエンジン回転速度ＮＥを変化させる。具体的には、共振抑制制御手段９０は、振動騒音回避判定手段８８により上記所定エンジン回転速度領域の回避を実行すべきであると判定された場合には、第１電動機回転速度ＮＭ１を制御し無段変速部１１の変速比γ０を変化させてエンジン回転速度ＮＥを上記所定エンジン回転速度領域から回避するようにハイブリッド制御手段５２に指令を出力する。
【００９７】
図１０は、電子制御装置４０の制御作動の要部すなわち車両における振動騒音の発生を抑制するために駆動系のねじり共振の発生を抑制する制御作動を説明するフローチャートであり、例えば数ｍｓｅｃ乃至数十ｍｓｅｃ程度の極めて短いサイクルタイムで繰り返し実行されるものである。また、図１１は、図１０のフローチャートに示す制御作動の一例であって、無段変速部１１（動力分配機構１６）の無段変速状態（差動状態、非ロック状態）において車両の振動騒音を所定値以上とするような駆動系のねじり共振の発生を回避するための制御作動を説明するタイムチャートである。また、この図１１の共振を回避する制御作動は、車両定速走行且つ自動変速部２０の変速制御が実行されない状態で実行される場合の一例である。
【００９８】
先ず、前記手動選択操作判定手段８０に対応するステップ（以下、ステップを省略する）ＳＡ１において、スイッチ４４の選択状態すなわち無段変速走行指令釦、有段変速走行指令釦、および中立位置のいずれが選択されている状態かが判定されることにより無段変速走行か有段変速走行かがユーザにより強制されているか否かが判定される。
【００９９】
上記ＳＡ１の判断が否定される場合は前記有段強制領域判定手段８４に対応するＳＡ２において、車両状態に基づいて無段変速部１１の有段変速状態が強制されるような例えば前記図７に示すエンジントルクＴＥが所定値以上の有段制御領域であるか否かが判定される。図１１のｔ１時点は無段変速部１１が無段変速状態とされる無段制御領域と判定され、無段変速部１１の無段変速状態における車両の振動系の共振の発生が回避されるようにエンジン仕様の設定を実行することが判定されたことを示している。
【０１００】
上記ＳＡ２の判断が肯定される場合は前記変動周期切換制御手段８６に対応するＳＡ６において、予め実験等により求められた前記有段用エンジン仕様が設定される。つまり、エンジン８のトルク変動の周期が無段変速部１１の有段変速状態において駆動系のねじり共振が発生しやすい前記所定のトルク変動の周期領域を回避するように、ハイブリッド制御手段５２がエンジン回転速度ＮＥを維持させられながらエンジン８の作動気筒数を切り換えさせられる。これにより、エンジン８の気筒点火（爆発）の回数に対応するようにしてすなわちエンジントルクＴＥの発生する気筒数に対応するようにしてトルク変動の周期が切り換えられる。
【０１０１】
前記ＳＡ２の判断が否定される場合は前記変動周期切換制御手段８６に対応するＳＡ３において、予め実験等により求められた前記無段用エンジン仕様が設定される。つまり、エンジン８のトルク変動の周期が無段変速部１１の無段変速状態において駆動系のねじり共振が発生しやすい前記所定のトルク変動の周期領域を回避するように、ハイブリッド制御手段５２がエンジン回転速度ＮＥを維持させられながらエンジン８の作動気筒数を切り換えさせられる。これにより、エンジン８の気筒点火（爆発）の回数に対応するようにしてすなわちエンジントルクＴＥの発生する気筒数に対応するようにしてトルク変動の周期が切り換えられる。図１１のｔ１時点はエンジン８の作動気筒数が３気筒から６気筒に切り換えられてトルク変動の周期が切り換えられたことを示している。
【０１０２】
次いで、前記振動騒音回避判定手段８８に対応するＳＡ４において、車両の加速度を示す加速度信号、車両の振動を表す振動信号、或いは図示しないマイクロフォンにより検出される車室内騒音に基づいて前記所定値以上の振動騒音が実車上で発生しているか否かすなわち前記所定値以上の車両の振動騒音が回避されていないか否かが判定されることで、前記所定エンジン回転速度領域の回避を実行すべきか否かが判定される。図１１のｔ３時点は前記所定値以上の車両の振動騒音が回避されていないすなわち車両の振動系の共振が回避不可であると判定されたことを示している。
【０１０３】
上記ＳＡ４の判断が否定される場合は本ルーチンが終了させられるが、肯定される場合は前記共振抑制制御手段９０に対応するＳＡ５において、無段変速部１１が無段変速状態とされており有段変速状態と異なってエンジン回転速度ＮＥが車速Ｖに拘束されない自由回転状態とされるので、第１電動機回転速度ＮＭ１を制御し無段変速部１１の変速比γ０を変化させてエンジン回転速度ＮＥを上記所定エンジン回転速度領域から回避するようにハイブリッド制御手段５２に指令が出力される。
【０１０４】
図１１のｔ３時点乃至ｔ４時点は、無段変速状態とされている無段変速部１１において第１電動機Ｍ１を制御してエンジン回転速度ＮＥが駆動系のねじり共振が発生する車両状態すなわち所定エンジン回転速度領域から回避するように変化させられたことを示している。図１１の実線は第１電動機Ｍ１の回転速度を引き下げてエンジン回転速度ＮＥが所定エンジン回転速度領域から回避されるように低下させられた場合であり、図１１の破線は第１電動機Ｍ１の回転速度を引き上げてエンジン回転速度ＮＥが所定エンジン回転速度領域から回避されるように上昇させられた場合である。
【０１０５】
無段変速走行か有段変速走行かがスイッチ４４によりマニュアルで固定されていると判定されて前記ＳＡ１の判断が肯定される場合はＳＡ７において、その他の制御作動が実行されるか或いは現在の車両走行状態が維持されて本ルーチンが終了させられる。例えば、有段変速走行がスイッチ４４によりマニュアルで固定されている場合には、上記ＳＡ６と同様に予め実験等により求められた前記有段用エンジン仕様が設定されてもよい。また、無段変速走行がスイッチ４４によりマニュアルで固定されている場合には、上記ＳＡ３と同様に予め実験等により求められた前記無段用エンジン仕様が設定され、上記ＳＡ５と同様にエンジン回転速度ＮＥを上記所定エンジン回転速度領域から回避するようにハイブリッド制御手段５２に指令が出力されてもよい。
【０１０６】
上述のように、本実施例によれば、無段変速状態と有段変速状態とに切換え可能に構成される無段変速部１１を備えた変速機構１０において、車両の振動または騒音を所定値以上とする車両の振動系の共振例えば駆動系のねじり共振が発生しないように変動周期切換制御手段８６により無段変速部１１の無段変速状態と有段変速状態とに応じてエンジン８のトルク変動の周期が切り換えられるので、上記車両の振動系の共振の発生が抑制されて車両の振動または騒音の発生が抑制される。
【０１０７】
例えば、無段変速部１１の無段変速状態においてはエンジン回転速度ＮＥが車速Ｖに拘束されない自由回転状態でエンジン８と駆動輪３８とが連結され、無段変速部１１の有段変速状態においてはエンジン回転速度ＮＥが車速Ｖに拘束される状態でエンジン８と駆動輪３８とが連結されることから無段変速部１１の各変速状態における共振点が異なっており、その共振点が異なる無段変速状態と有段変速状態とに応じて車両の振動系の共振が発生しないように変動周期切換制御手段８６により強制源（振動強制力）となるエンジン８のトルク変動の周期が切り換えられるので、車両の振動系の共振の発生が回避させられて車両の振動または騒音の発生が抑制される。また、車両の振動系の共振が駆動系のねじり共振である場合には、その駆動系のねじり共振の発生を回避するように変動周期切換制御手段８６によりエンジン８のトルク変動の周期が切り換えられるので、駆動系のねじり共振に起因する車両の振動または騒音の発生が抑制される。
【０１０８】
また、本実施例によれば、変動周期切換制御手段８６は、エンジン８の作動気筒数を切り換えることによりそのエンジン８のトルク変動の周期を切り換えるので、エンジン８の気筒点火（爆発）の回数に対応するようにしてすなわちトルクの発生する気筒数に対応するようにして同じエンジン回転速度ＮＥにおいてエンジン８のトルク変動の周期が適切に切り換えられ得る。
【０１０９】
また、本実施例によれば、無段変速部１１の無段変速状態においてはエンジン回転速度ＮＥが車速Ｖに拘束されないので、共振抑制制御手段８６により第１電動機Ｍ１を用いて車速Ｖ一定のままエンジン回転速度ＮＥが前記所定エンジン回転速度領域を回避するように積極的に回転制御される。よって、車両の振動系の共振の発生が抑制されて車両の振動騒音の発生が一層抑制される。
【０１１０】
次に、本発明の他の実施例を説明する。なお、以下の説明において前述の実施例と共通する部分には同一の符号を付して説明を省略する。
【実施例２】
【０１１１】
前述の実施例では、車両の振動騒音を発生させる車両の振動系の共振として駆動系のねじり共振を例示し、その振動騒音を所定値以上とする駆動系のねじり共振が発生しないように強制源（振動源、振動強制力）であるエンジン８のトルク変動の周期が駆動系のねじり共振が発生しやすい所定のトルク変動の周期を回避させられる制御作動を示した。ところで、エンジン８を振動源として車両の振動騒音を発生させる車両の振動系の共振としては上記駆動系のねじり共振以外にも排気系の共振、エンジン補機類の共振、駆動系の曲げ共振、駆動系の連成共振、エンジン懸架系の共振、車体系の共振、サスペンション構成部材の共振などが良く知られている。例えば、排気系の共振による車両の振動騒音は、エンジンのトルク変動により生じるエンジン振動が排気マニホールドを経由して排気管系を加振する現象であったり、排気バルブの開閉に伴って生じるエンジン回転速度と気筒数に関係する排気脈動圧を起振源として、排気管系の諸元で決まる共振（共鳴）特性によって特定のエンジン回転速度で増幅された音響エネルギーが排気管系を加振したり車室内にこもり音を発生させる現象である。
【０１１２】
そこで、本実施例では、車両の振動騒音（特に、こもり音）を所定値以上とする排気系の共振が発生しないように、その排気系の共振が発生しやすい車両状態となっているかを判断しその車両状態を回避する。例えば、前述の実施例と同様にその車両状態として強制源の振動周波数すなわちエンジン８のトルク変動の周期に着目し、そのトルク変動の周期が排気系の共振が発生しやすい所定のトルク変動の周期領域を回避するように制御する。この所定のトルク変動の周期は、車両の振動騒音を所定値以上とするような排気系の共振が発生するトルク変動の周期であって、予め実験等により求められて記憶されているものである。
以下に、その制御作動について具体的に説明する。
【０１１３】
図５に戻り、前記変動周期切換制御手段８６は、前述の実施例に替えて或いは加えて、有段強制領域判定手段８４により無段変速部１１が有段変速状態とされる有段制御領域内であると判定された場合には、無段変速部１１の有段変速状態において上記車両の振動系の共振の発生が回避されるように、略同じエンジン回転速度ＮＥにおいてそのトルク変動の周期を切り換える。すなわち、変動周期切換制御手段８６は、エンジン８のトルク変動の周期が無段変速部１１の有段変速状態において排気系の共振が発生しやすい予め実験等により求められた所定のトルク変動の周期領域を回避するように、略同じエンジン回転速度ＮＥにおいてそのトルク変動の周期を切り換える。このように、変動周期切換制御手段８６は、有段強制領域判定手段８４により無段変速部１１が有段変速状態とされる有段制御領域内であると判定された場合には、予め実験等により求められた有段用エンジン仕様を設定する。
【０１１４】
また、変動周期切換制御手段８６は、有段強制領域判定手段８４により無段変速部１１が有段変速状態とされる有段制御領域内でないと判定された場合には、無段変速部１１の無段変速状態において上記車両の振動系の共振の発生が回避されるように、略同じエンジン回転速度ＮＥにおいてそのトルク変動の周期を切り換える。すなわち、変動周期切換制御手段８６は、エンジン８のトルク変動の周期が無段変速部１１の無段変速状態において排気系の共振が発生しやすい予め実験等により求められた所定のトルク変動の周期領域を回避するように、略同じエンジン回転速度ＮＥにおいてそのトルク変動の周期を切り換える。このように、変動周期切換制御手段８６は、有段強制領域判定手段８４により無段変速部１１が有段変速状態とされる有段制御領域内でないと判定された場合には、予め実験等により求められた無段用エンジン仕様を設定する。
【０１１５】
前記振動騒音回避判定手段８８は、前述の実施例に替えて或いは加えて、上記所定値以上の車両の振動騒音が回避されていないか否かを判定することで、その所定エンジン回転速度領域の回避を実行すべきか否かを判定する。この所定エンジン回転速度領域は、車両の振動騒音を所定値以上とするような排気系の共振が発生する予め実験等により求められて記憶手段５６に記憶されているエンジン回転速度ＮＥである。
【０１１６】
図１２は、電子制御装置４０の制御作動の要部すなわち車両における振動騒音例えばこもり音の発生を抑制するために排気系の共振の発生を抑制する制御作動を説明するフローチャートであって、前述の実施例における図１０のフローチャートに相当するものであり、例えば数ｍｓｅｃ乃至数十ｍｓｅｃ程度の極めて短いサイクルタイムで繰り返し実行される。また、図１３は、図１２のフローチャートに示す制御作動の一例であって、無段変速部１１（動力分配機構１６）の無段変速状態（差動状態、非ロック状態）において車両のこもり音を所定値以上とするような排気系の共振の発生を回避するための制御作動を説明するタイムチャートである。また、この図１３の共振を回避する制御作動は、車両定速走行且つ自動変速部２０の変速制御が実行されない状態で実行される場合の一例である。
【０１１７】
先ず、前記手動選択操作判定手段８０に対応するＳＢ１において、スイッチ４４の選択状態すなわち無段変速走行指令釦、有段変速走行指令釦、および中立位置のいずれが選択されている状態かが判定されることにより無段変速走行か有段変速走行かがユーザにより強制されているか否かが判定される。
【０１１８】
上記ＳＢ１の判断が否定される場合は前記有段強制領域判定手段８４に対応するＳＢ２において、車両状態に基づいて無段変速部１１の有段変速状態が強制されるような例えば前記図７に示すエンジントルクＴＥが所定値以上の有段制御領域であるか否かが判定される。図１３のｔ１時点は無段変速部１１が無段変速状態とされる無段制御領域と判定され、無段変速部１１の無段変速状態における排気こもり音の発生が回避されるようにエンジン仕様の設定を実行することが判定されたことを示している。
【０１１９】
上記ＳＢ２の判断が肯定される場合は前記変動周期切換制御手段８６に対応するＳＢ６において、予め実験等により求められた前記有段用エンジン仕様が設定される。つまり、エンジン８のトルク変動の周期が無段変速部１１の有段変速状態において排気系の共振が発生しやすい前記所定のトルク変動の周期領域を回避するように、ハイブリッド制御手段５２がエンジン回転速度ＮＥを維持させられながらエンジン８の作動気筒数を切り換えさせられる。これにより、エンジン８の気筒点火（爆発）の回数に対応するようにしてすなわちエンジントルクＴＥの発生する気筒数に対応するようにしてトルク変動の周期が切り換えられる。
【０１２０】
前記ＳＢ２の判断が否定される場合は前記変動周期切換制御手段８６に対応するＳＢ３において、予め実験等により求められた前記無段用エンジン仕様が設定される。つまり、エンジン８のトルク変動の周期が無段変速部１１の無段変速状態において排気系の共振が発生しやすい前記所定のトルク変動の周期領域を回避するように、ハイブリッド制御手段５２がエンジン回転速度ＮＥを維持させられながらエンジン８の作動気筒数を切り換えさせられる。これにより、エンジン８の気筒点火（爆発）の回数に対応するようにしてすなわちエンジントルクＴＥの発生する気筒数に対応するようにしてトルク変動の周期が切り換えられる。図１３のｔ１時点はエンジン８の作動気筒数が３気筒から６気筒に切り換えられてトルク変動の周期が切り換えられたことを示している。
【０１２１】
次いで、前記振動騒音回避判定手段８８に対応するＳＢ４において、図示しないマイクロフォンにより検出される車室内騒音などに基づいて前記所定値以上のこもり音が実車上で発生しているか否かすなわち前記所定値以上のこもり音が回避されていないか否かが判定されることで、前記所定エンジン回転速度領域の回避を実行すべきか否かが判定される。図１３のｔ３時点は前記所定値以上のこもり音が回避されていないすなわち排気系の共振が回避不可であると判定されたことを示している。
【０１２２】
上記ＳＢ４の判断が否定される場合は本ルーチンが終了させられるが、肯定される場合は前記共振抑制制御手段９０に対応するＳＢ５において、無段変速部１１が無段変速状態とされており有段変速状態と異なってエンジン回転速度ＮＥが車速Ｖに拘束されない自由回転状態とされるので、第１電動機回転速度ＮＭ１を制御し無段変速部１１の変速比γ０を変化させてエンジン回転速度ＮＥを上記所定エンジン回転速度領域から回避するようにハイブリッド制御手段５２に指令が出力される。
【０１２３】
図１３のｔ３時点乃至ｔ４時点は、無段変速状態とされている無段変速部１１において第１電動機Ｍ１を制御してエンジン回転速度ＮＥが排気系の共振が発生する車両状態すなわち所定エンジン回転速度領域から回避するように変化させられたことを示している。図１３の実線は第１電動機Ｍ１の回転速度を引き下げてエンジン回転速度ＮＥが所定エンジン回転速度領域から回避されるように低下させられた場合であり、図１３の破線は第１電動機Ｍ１の回転速度を引き上げてエンジン回転速度ＮＥが所定エンジン回転速度領域から回避されるように上昇させられた場合である。
【０１２４】
無段変速走行か有段変速走行かがスイッチ４４によりマニュアルで固定されていると判定されて前記ＳＢ１の判断が肯定される場合はＳＢ７において、その他の制御作動が実行されるか或いは現在の車両走行状態が維持されて本ルーチンが終了させられる。例えば、有段変速走行がスイッチ４４によりマニュアルで固定されている場合には、上記ＳＢ６と同様に予め実験等により求められた前記有段用エンジン仕様が設定されてもよい。また、無段変速走行がスイッチ４４によりマニュアルで固定されている場合には、上記ＳＢ３と同様に予め実験等により求められた前記無段用エンジン仕様が設定され、上記ＳＢ５と同様にエンジン回転速度ＮＥを上記所定エンジン回転速度領域から回避するようにハイブリッド制御手段５２に指令が出力されてもよい。
【０１２５】
上述のように、本実施例によれば、無段変速状態と有段変速状態とに切換え可能に構成される無段変速部１１を備えた変速機構１０において、車両の振動騒音例えば排気こもり音を所定値以上とする車両の振動系の共振例えば排気系の共振が発生しないように変動周期切換制御手段８６により無段変速部１１の無段変速状態と有段変速状態とに応じてエンジン８のトルク変動の周期が切り換えられるので、上記排気系の共振の発生が抑制されて排気こもり音の発生が抑制される。
【０１２６】
例えば、無段変速部１１の無段変速状態においてはエンジン回転速度ＮＥが車速Ｖに拘束されない自由回転状態でエンジン８と駆動輪３８とが連結され、無段変速部１１の有段変速状態においてはエンジン回転速度ＮＥが車速Ｖに拘束される状態でエンジン８と駆動輪３８とが連結されることから無段変速部１１の各変速状態における共振点が異なっており、その共振点が異なる無段変速状態と有段変速状態とに応じて排気系の共振が発生しないように変動周期切換制御手段８６により強制源（振動強制力）となるエンジン８のトルク変動の周期が切り換えられるので、排気系の共振の発生が回避させられて車両のこもり音の発生が抑制される。
【０１２７】
また、本実施例によれば、変動周期切換制御手段８６は、エンジン８の作動気筒数を切り換えることによりそのエンジン８のトルク変動の周期を切り換えるので、エンジン８の気筒点火（爆発）の回数に対応するようにしてすなわちトルクの発生する気筒数に対応するようにして同じエンジン回転速度ＮＥにおいてエンジン８のトルク変動の周期が適切に切り換えられ得る。
【０１２８】
また、本実施例によれば、無段変速部１１の無段変速状態においてはエンジン回転速度ＮＥが車速Ｖに拘束されないので、共振抑制制御手段８６により第１電動機Ｍ１を用いて車速Ｖ一定のままエンジン回転速度ＮＥが前記所定エンジン回転速度領域を回避するように積極的に回転制御される。よって、排気系の共振の発生が抑制されて車両のこもり音の発生が一層抑制される。
【実施例３】
【０１２９】
前記エンジン８は、エンジン８の作動気筒数の切換えが可能な可変気筒エンジンであったが、それに替えて或いは加えて、エンジン８の負荷状態に応じて運転サイクルの切換えが可能なエンジンである。例えば、軽負荷走行時などの通常の走行時においては、４サイクル運転が行われる。また、発進時や急加速時、中・高負荷走行時においては、少サイクル運転例えば２サイクル運転が行われて通常の４サイクル運転に比較して増大させられた所望の出力が得られる。
【０１３０】
図１４は、エンジン８の各気筒に設けられた吸気弁１００および排気弁１０２が電気的に制御される開閉制御弁すなわち電磁駆動弁の一例を説明する図である。図１４に示すように、エンジン８は、上記吸気弁１００および排気弁１０２とそれ等を開閉駆動する電気的アクチュエータである電磁アクチュエータ１０４および１０５とを含む可変動弁機構１０６と、クランク軸１０８の回転角を検出するクランク軸回転角センサ１１０と、前記電子制御装置４０からの指令に従って上記吸気弁１００および排気弁１０２の開閉タイミングやリフト量や作動角（開閉速度）などを制御する弁駆動制御装置１１２とを備えている。
【０１３１】
図１５は、上記電磁アクチュエータ１０４、１０５の構成の一例を説明する図である。この電磁アクチュエータ１０４および１０５は、吸気弁１００または排気弁１０２に連結されてその吸気弁１００または排気弁１０２の軸心方向に移動可能に支持された磁性体製の円盤状の可動部材１１４と、その可動部材１１４を択一的に吸着するためにそれを挟む位置に設けられた一対の電磁石１１６、１１７と、可動部材１１４をその中立位置に向かって付勢する一対のスプリング１１８、１１９とを備えている。
【０１３２】
このように構成されたエンジン８において、例えば前記２サイクル運転は、よく知られているように、ピストンが上死点付近に接近している気筒の排気弁１０２が開放されることにより排気が行われ、吸気弁１００が開放され且つ過給圧を高められることにより掃気が実行され、次いで排気弁１０２が閉鎖され燃料噴射が行われた後に点火が行われて実施される。
【０１３３】
前記ハイブリッド制御手段５２は、前述の実施例に替えて或いは加えて、エンジン８の出力制御のためにエンジン８の運転サイクルを切り換える運転サイクル切換制御手段を機能的に備え、車速Ｖやアクセルペダル操作量Ａccなどに基づいて、予め実験的に求められた定速走行のような軽負荷走行時、車両発進時やアクセルペダルが大きく踏込操作される急加速時のような中・高負荷走行時などの車両状態（エンジン負荷）に応じた運転サイクルを判断し、その運転サイクルとなるようにエンジン８の運転サイクルの切換えを実行する。例えば、ハイブリッド制御手段５２は、軽負荷走行時と判断した場合は前記弁駆動制御装置１１２にエンジン８を４サイクル運転するように制御させる指令を出力し、また高負荷走行時と判断した場合は前記弁駆動制御装置１１２にエンジン８を２サイクル運転するように制御させる指令を出力する。この弁駆動制御装置１１２は、その運転サイクル切換え指令に従ってエンジン８を４サイクル運転させるための時期および２サイクル運転させるための時期となるように制御する。
【０１３４】
前記変動周期切換制御手段８６は、前述の実施例に替えて或いは加えて、前記トルク変動の周期の切換えを、ハイブリッド制御手段５２にエンジン回転速度ＮＥを維持させながらエンジン８の運転サイクルを切り換えさせることにより実行する。これにより、エンジン８の気筒点火（爆発）の回数に対応するようにしてすなわちエンジン８の運転サイクルに対応するようにして上記トルク変動の周期が切り換えられる。このとき、エンジン８の運転サイクルが切り換えられる前後で略同じエンジントルクＴＥとなるように、変動周期切換制御手段８６は、ハイブリッド制御手段５２にスロットル制御や燃料噴射制御などを実行させてもよい。
【０１３５】
前記有段用エンジン仕様例えば前記図１０のフローチャートのＳＡ６や前記図１２のフローチャートのＳＢ６において設定される有段用エンジン仕様は、前述の実施例に替えて或いは加えて、エンジン８のトルク変動の周期が無段変速部１１の有段変速状態において車両の振動系の共振例えば駆動系のねじり共振や排気系の共振などが発生しやすい前記所定のトルク変動の周期領域を回避するようにハイブリッド制御手段５２がエンジン回転速度ＮＥを維持させられながらエンジン８の運転サイクルを切り換えさせられるものである。
【０１３６】
また、前記無段用エンジン仕様例えば前記図１０のフローチャートのＳＡ３や前記図１２のフローチャートのＳＢ３において設定される無段用エンジン仕様は、前述の実施例に替えて或いは加えて、エンジン８のトルク変動の周期が無段変速部１１の無段変速状態において車両の振動系の共振例えば駆動系のねじり共振や排気系の共振などが発生しやすい前記所定のトルク変動の周期領域を回避するようにハイブリッド制御手段５２がエンジン回転速度ＮＥを維持させられながらエンジン８の運転サイクルを切り換えさせられるものである。これにより、前記図１１のタイムチャートのｔ１時点や前記図１３のタイムチャートのｔ１時点において、前述の実施例に替えて或いは加えて、エンジン８の運転サイクルが４サイクル運転から２サイクル運転に切り換えられてトルク変動の周期が切り換えられる。
【０１３７】
上述のように、本実施例によれば、前述の実施例と同様の効果が得られることに加え、変動周期切換制御手段８６は、エンジン８の運転サイクルを切り換えることによりそのエンジン８のトルク変動の周期を切り換えるので、エンジン８の気筒点火（爆発）の回数に対応するようにして同じエンジン回転速度ＮＥにおいてエンジン８のトルク変動の周期が適切に切り換えられ得る。
【実施例４】
【０１３８】
図１６は本発明の他の実施例における変速機構７０の構成を説明する骨子図、図１７はその変速機構７０の変速段と油圧式摩擦係合装置の係合の組み合わせとの関係を示す係合表、図１８はその変速機構７０の変速作動を説明する共線図である。
【０１３９】
変速機構７０は、前述の実施例と同様に第１電動機Ｍ１、動力分配機構１６、および第２電動機Ｍ２を備えている無段変速部１１と、その無段変速部１１と出力軸２２との間で伝達部材１８を介して直列に連結されている前進３段の自動変速部７２とを備えている。動力分配機構１６は、例えば「０．４１８」程度の所定のギヤ比ρ１を有するシングルピニオン型の第１遊星歯車装置２４と切換クラッチＣ０および切換ブレーキＢ０とを有している。自動変速部７２は、例えば「０．５３２」程度の所定のギヤ比ρ２を有するシングルピニオン型の第２遊星歯車装置２６と例えば「０．４１８」程度の所定のギヤ比ρ３を有するシングルピニオン型の第３遊星歯車装置２８とを備えている。第２遊星歯車装置２６の第２サンギヤＳ２と第３遊星歯車装置２８の第３サンギヤＳ３とが一体的に連結されて第２クラッチＣ２を介して伝達部材１８に選択的に連結されるとともに第１ブレーキＢ１を介してケース１２に選択的に連結され、第２遊星歯車装置２６の第２キャリヤＣＡ２と第３遊星歯車装置２８の第３リングギヤＲ３とが一体的に連結されて出力軸２２に連結され、第２リングギヤＲ２は第１クラッチＣ１を介して伝達部材１８に選択的に連結され、第３キャリヤＣＡ３は第２ブレーキＢ２を介してケース１２に選択的に連結されている。
【０１４０】
以上のように構成された変速機構７０では、例えば、図１７の係合作動表に示されるように、前記切換クラッチＣ０、第１クラッチＣ１、第２クラッチＣ２、切換ブレーキＢ０、第１ブレーキＢ１、および第２ブレーキＢ２が選択的に係合作動させられることにより、第１速ギヤ段（第１変速段）乃至第４速ギヤ段（第４変速段）のいずれか或いは後進ギヤ段（後進変速段）或いはニュートラルが選択的に成立させられ、略等比的に変化する変速比γ（＝入力軸回転速度ＮＩＮ／出力軸回転速度ＮＯＵＴ）が各ギヤ段毎に得られるようになっている。特に、本実施例では動力分配機構１６に切換クラッチＣ０および切換ブレーキＢ０が備えられており、切換クラッチＣ０および切換ブレーキＢ０の何れかが係合作動させられることによって、無段変速部１１は前述した無段変速機として作動する無段変速状態に加え、変速比が一定の変速機として作動する定変速状態を構成することが可能とされている。したがって、変速機構７０では、切換クラッチＣ０および切換ブレーキＢ０の何れかを係合作動させることで定変速状態とされた無段変速部１１と自動変速部７２とで有段変速機として作動する有段変速状態が構成され、切換クラッチＣ０および切換ブレーキＢ０の何れも係合作動させないことで無段変速状態とされた無段変速部１１と自動変速部７２とで電気的な無段変速機として作動する無段変速状態が構成される。言い換えれば、変速機構７０は、切換クラッチＣ０および切換ブレーキＢ０の何れかを係合作動させることで有段変速状態に切り換えられ、切換クラッチＣ０および切換ブレーキＢ０の何れも係合作動させないことで無段変速状態に切り換えられる。
【０１４１】
例えば、変速機構７０が有段変速機として機能する場合には、図１７に示すように、切換クラッチＣ０、第１クラッチＣ１および第２ブレーキＢ２の係合により、変速比γ１が最大値例えば「２．８０４」程度である第１速ギヤ段が成立させられ、切換クラッチＣ０、第１クラッチＣ１および第１ブレーキＢ１の係合により、変速比γ２が第１速ギヤ段よりも小さい値例えば「１．５３１」程度である第２速ギヤ段が成立させられ、切換クラッチＣ０、第１クラッチＣ１および第２クラッチＣ２の係合により、変速比γ３が第２速ギヤ段よりも小さい値例えば「１．０００」程度である第３速ギヤ段が成立させられ、第１クラッチＣ１、第２クラッチＣ２、および切換ブレーキＢ０の係合により、変速比γ４が第３速ギヤ段よりも小さい値例えば「０．７０５」程度である第４速ギヤ段が成立させられる。また、第２クラッチＣ２および第２ブレーキＢ２の係合により、変速比γＲが第１速ギヤ段と第２速ギヤ段との間の値例えば「２．３９３」程度である後進ギヤ段が成立させられる。なお、ニュートラル「Ｎ」状態とする場合には、例えば切換クラッチＣ０のみが係合される。
【０１４２】
しかし、変速機構７０が無段変速機として機能する場合には、図１７に示される係合表の切換クラッチＣ０および切換ブレーキＢ０が共に解放される。これにより、無段変速部１１が無段変速機として機能し、それに直列の自動変速部７２が有段変速機として機能することにより、自動変速部７２の第１速、第２速、第３速の各ギヤ段に対しその自動変速部７２に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構７０全体としてのトータル変速比γＴが無段階に得られるようになる。
【０１４３】
図１８は、差動部或いは第１変速部として機能する無段変速部１１と有段変速部或いは第２変速部として機能する自動変速部７２から構成される変速機構７０において、ギヤ段毎に連結状態が異なる各回転要素の回転速度の相対関係を直線上で表すことができる共線図を示している。切換クラッチＣ０および切換ブレーキＢ０が解放される場合、および切換クラッチＣ０または切換ブレーキＢ０が係合させられる場合の動力分配機構１６の各要素の回転速度は前述の場合と同様である。
【０１４４】
図１８における自動変速部７２の４本の縦線Ｙ４、Ｙ５、Ｙ６、Ｙ７は、左から順に、第４回転要素（第４要素）ＲＥ４に対応し且つ相互に連結された第２サンギヤＳ２および第３サンギヤＳ３を、第５回転要素（第５要素）ＲＥ５に対応する第３キャリヤＣＡ３を、第６回転要素（第６要素）ＲＥ６に対応し且つ相互に連結された第２キャリヤＣＡ２および第３リングギヤＲ３を、第７回転要素（第７要素）ＲＥ７に対応する第２リングギヤＲ２をそれぞれ表している。また、自動変速部７２において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は自動変速部７２の出力軸２２に連結され、第７回転要素ＲＥ７は第１クラッチＣ１を介して伝達部材１８に選択的に連結されている。
【０１４５】
自動変速部７２では、図１８に示すように、第１クラッチＣ１と第２ブレーキＢ２とが係合させられることにより、第７回転要素ＲＥ７（Ｒ２）の回転速度を示す縦線Ｙ７と横線Ｘ２との交点と第５回転要素ＲＥ５（ＣＡ３）の回転速度を示す縦線Ｙ５と横線Ｘ１との交点とを通る斜めの直線Ｌ１と、出力軸２２と連結された第６回転要素ＲＥ６（ＣＡ２，Ｒ３）の回転速度を示す縦線Ｙ６との交点で第１速の出力軸２２の回転速度が示される。同様に、第１クラッチＣ１と第１ブレーキＢ１とが係合させられることにより決まる斜めの直線Ｌ２と出力軸２２と連結された第６回転要素ＲＥ６の回転速度を示す縦線Ｙ６との交点で第２速の出力軸２２の回転速度が示され、第１クラッチＣ１と第２クラッチＣ２とが係合させられることにより決まる水平な直線Ｌ３と出力軸２２と連結された第６回転要素ＲＥ６の回転速度を示す縦線Ｙ６との交点で第３速の出力軸２２の回転速度が示される。上記第１速乃至第３速では、切換クラッチＣ０が係合させられている結果、エンジン回転速度ＮＥと同じ回転速度で第７回転要素ＲＥ７に無段変速部１１からの動力が入力される。しかし、切換クラッチＣ０に替えて切換ブレーキＢ０が係合させられると、無段変速部１１からの動力がエンジン回転速度ＮＥよりも高い回転速度で入力されることから、第１クラッチＣ１、第２クラッチＣ２、および切換ブレーキＢ０が係合させられることにより決まる水平な直線Ｌ４と出力軸２２と連結された第６回転要素ＲＥ６の回転速度を示す縦線Ｙ６との交点で第４速の出力軸２２の回転速度が示される。
【０１４６】
本実施例の変速機構７０においても、差動部或いは第１変速部として機能する無段変速部１１と、有段変速部或いは第２変速部として機能する自動変速部７２とから構成されるので、前述の実施例と同様の効果が得られる。
【０１４７】
以上、本発明の実施例を図面に基づいて詳細に説明したが、本発明はその他の態様においても適用される。
【０１４８】
例えば、前述の実施例では、車両の振動騒音を所定値以上とする車両の振動系の共振が発生しないように強制源（振動源、振動強制力）であるエンジン８のトルク変動の周期が所定のトルク変動の周期を回避させられる制御作動において、その振動騒音を発生させる車両の振動系の共振として駆動系のねじり共振や排気系の共振を例示したが、この駆動系のねじり共振や排気系の共振以外の他の車両の振動系の共振例えばエンジン補機類の共振、駆動系の曲げ共振、駆動系の連成共振、エンジン懸架系の共振、車体系の共振、サスペンション構成部材の共振などであっても本発明は適用され得る。すなわち、エンジン８を振動源として車両の振動騒音を発生させる車両の振動系の共振であれば、変動周期切換制御手段８６により無段変速部１１の無段変速状態と有段変速状態とに応じてエンジン８のトルク変動の周期が切り換えられることで、その車両の振動系の共振の発生が抑制されて車両の振動または騒音の発生が抑制される。
【０１４９】
また、前述の実施例の共振抑制制御手段９０は、振動騒音回避判定手段８８による判定結果に拘わらず、第１電動機回転速度ＮＭ１を制御し無段変速部１１の変速比γ０を変化させてエンジン回転速度ＮＥを前記所定エンジン回転速度領域から回避するようにハイブリッド制御手段５２に指令を出力しても良い。例えば、図１０、図１３に示すフローチャートにおいて、上記振動騒音回避判定手段８８に対応するＳＡ４、ＳＢ４の判断結果に拘わらず、上記共振抑制制御手段９０に対応するＳＡ５、ＳＢ５が実行されても良い。このようにすれば、車両の振動系の共振の発生が一層抑制されて車両の振動騒音の発生が一層確実に抑制される。
【０１５０】
また、前述の実施例の変動周期切換制御手段８６は、トルク変動の周期の切換えをハイブリッド制御手段５２にエンジン８の作動気筒数を切り換えさせることにより実行するものであるが、そのハイブリッド制御手段５２によるエンジン８の作動気筒数の切換えは全気筒作動停止状態（フューエルカット作動状態）と全気筒運転状態との間において、作動気筒数を必要に応じて順次或いは一挙に切り換えるなど種々の態様が可能である。例えば、６気筒を有するエンジン８において、作動気筒数を全気筒作動停止状態から６気筒までの間で順次増減するように切り換えたり、１気筒と４気筒との間や３気筒と６気筒との間のように一挙に切り換えたりしても良い。また、予め複数の気筒を複数の組に分けてその複数の組の一部乃至全部を作動させたり、片バンク運転と両バンク運転とで気筒の作動を切り換える所謂バンク切換制御であっても良い。特に、作動気筒数の切換えが上記バンク切換制御や一挙に切り換えたりする場合は、同じエンジン回転速度ＮＥにおけるエンジン８のトルク変動の周期が適切に切り換えられ得ると共に、順次作動気筒数が切り換えられることに比較して速やかにエンジン８のトルク変動の周期が切り換えられる利点がある。
【０１５１】
また、前述の実施例のハイブリッド制御手段５２は、気筒への燃料供給を停止させてエンジン８の部分気筒運転（フューエルカット作動を含む）を実行したが、この部分気筒運転は単に気筒への燃料供給を停止させるものでも良いし、燃料供給を停止させた気筒内の圧力変化を抑制してエンジン８の引き摺り（エンジン回転抵抗）を抑制するものでも良い。例えば、エンジン８が備える可変動弁機構１０６により４サイクルエンジンの各行程の少なくとも１行程において弁作動のタイミングが制御されて気筒内の圧力変化が抑制され得る構成とされ、ハイブリッド制御手段５２は部分気筒運転の実行において一部の気筒乃至全気筒への燃料供給を停止させると共に上記可変動弁機構１０６により気筒内の圧力変化を抑制してすなわちポンピングロスを低減してエンジン８の引き摺りを抑制するように弁駆動制御装置１１２に指令を出力する。気筒内の圧力変化を抑制するものとして、他に、吸気行程においてスロットル開度を積極的に開くことにより負圧の発生を抑制して気筒内の圧力変化を抑制するものや、エンジン８のクランク軸とピストン間の機械的な連結が切り離され得る構成とされてピストンの往復運動が停止されることにより気筒内の圧力変化を抑制するものなど種々の態様が可能である。
【０１５２】
また、前述の実施例のエンジン８は、燃料噴射装置９８による吸気管９５へ燃料供給量が制御されるものであったが、燃料が気筒内噴射される形式の所謂筒内噴射式エンジンであっても良い。
【０１５３】
また、前述の実施例の変速機構１０、７０は、無段変速部１１（動力分配機構１６）が電気的な無段変速機として作動可能な差動状態とそれを非作動とする非差動状態とに切り換えられることで無段変速状態と有段変速状態とに切り換え可能に構成され、この無段変速状態と有段変速状態との切換えは無段変速部１１が差動状態と非差動状態とに切換えられることによって行われていたが、例えば無段変速部１１が差動状態のままであっても無段変速部１１の変速比を連続的ではなく段階的に変化させることにより有段変速機として機能させられ得る。言い換えれば、無段変速部１１の差動状態／非差動状態と、変速機構１０、７０の無段変速状態／有段変速状態とは必ずしも一対一の関係にある訳ではないので、無段変速部１１は必ずしも無段変速状態と有段変速状態とに切換可能に構成される必要はなく、変速機構１０、７０（無段変速部１１、動力分配機構１６）が差動状態と非差動状態とに切換え可能に構成されれば本発明は適用され得る。
【０１５４】
また、前述の実施例の動力分配機構１６では、第１キャリヤＣＡ１がエンジン８に連結され、第１サンギヤＳ１が第１電動機Ｍ１に連結され、第１リングギヤＲ１が伝達部材１８に連結されていたが、それらの連結関係は、必ずしもそれに限定されるものではなく、エンジン８、第１電動機Ｍ１、伝達部材１８は、第１遊星歯車装置２４の３要素ＣＡ１、Ｓ１、Ｒ１のうちのいずれと連結されていても差し支えない。
【０１５５】
また、前述の実施例では、エンジン８は入力軸１４と直結されていたが、例えばギヤ、ベルト等を介して作動的に連結されておればよく、共通の軸心上に配置される必要もない。
【０１５６】
また、前述の実施例では、第１電動機Ｍ１および第２電動機Ｍ２は、入力軸１４に同心に配置されて第１電動機Ｍ１は第１サンギヤＳ１に連結され第２電動機Ｍ２は伝達部材１８に連結されていたが、必ずしもそのように配置される必要はなく、例えばギヤ、ベルト等を介して作動的に第１電動機Ｍ１は第１サンギヤＳ１に連結され、第２電動機Ｍ２は伝達部材１８に連結されてもよい。
【０１５７】
また、前述の動力分配機構１６には切換クラッチＣ０および切換ブレーキＢ０が備えられていたが、切換クラッチＣ０および切換ブレーキＢ０は必ずしも両方備えられる必要はない。また、上記切換クラッチＣ０は、サンギヤＳ１とキャリヤＣＡ１とを選択的に連結するものであったが、サンギヤＳ１とリングギヤＲ１との間や、キャリヤＣＡ１とリングギヤＲ１との間を選択的に連結するものであってもよい。要するに、第１遊星歯車装置２４の３要素のうちのいずれか２つを相互に連結するものであればよい。
【０１５８】
また、前述の実施例の変速機構１０、７０では、ニュートラル「Ｎ」とする場合には切換クラッチＣ０が係合されていたが、必ずしも係合される必要はない。
【０１５９】
また、前述の実施例では、切換クラッチＣ０および切換ブレーキＢ０などの油圧式摩擦係合装置は、パウダー（磁粉）クラッチ、電磁クラッチ、噛み合い型のドグクラッチなどの磁粉式、電磁式、機械式係合装置から構成されていてもよい。
【０１６０】
また、前述の実施例では、第２電動機Ｍ２が伝達部材１８に連結されていたが、出力軸２２に連結されていてもよいし、自動変速部２０、７２内の回転部材に連結されていてもよい。
【０１６１】
また、前述の実施例では、無段変速部１１すなわち動力分配機構１６の出力部材である伝達部材１８と駆動輪３８との間の動力伝達経路に、自動変速部２０、７２が介装されていたが、例えば自動変速機の一種である無段変速機（ＣＶＴ）、手動変速機としてよく知られた常時噛合式平行２軸型ではあるがセレクトシリンダおよびシフトシリンダによりギヤ段が自動的に切り換えられることが可能な自動変速機等の他の形式の動力伝達装置（変速機）が設けられていてもよい。その無段変速機（ＣＶＴ）の場合には、動力分配機構１６が定変速状態とされることで全体として有段変速状態とされる。有段変速状態とは、電気パスを用いないで専ら機械的伝達経路で動力伝達することである。或いは、上記無段変速機は有段変速機における変速段に対応するように予め複数の固定された変速比が記憶され、その複数の固定された変速比を用いて自動変速部２０、７２の変速が実行されてもよい。或いは、自動変速部２０、７２は必ずしも備えられてなくとも本発明は適用され得る。
【０１６２】
また、前述の実施例では、自動変速部２０、７２は伝達部材１８を介して無段変速部１１と直列に連結されていたが、入力軸１４と平行にカウンタ軸が設けられそのカウンタ軸上に同心に自動変速部２０、７２が配設されてもよい。この場合には、無段変速部１１と自動変速部２０、７２とは、例えば伝達部材１８としてのカウンタギヤ対、スプロケットおよびチェーンで構成される１組の伝達部材などを介して動力伝達可能に連結される。
【０１６３】
また、前述の実施例の差動機構としての動力分配機構１６は、例えばエンジンによって回転駆動されるピニオンと、そのピニオンに噛み合う一対のかさ歯車が第１電動機Ｍ１および第２電動機Ｍ２に作動的に連結された差動歯車装置であってもよい。
【０１６４】
また、前述の実施例の動力分配機構１６は、１組の遊星歯車装置から構成されていたが、２以上の遊星歯車装置から構成されて、非差動状態（定変速状態）では３段以上の変速機として機能するものであってもよい。
【０１６５】
また、前述の実施例のスイッチ４４はシーソー型のスイッチであったが、例えば押しボタン式のスイッチ、択一的にのみ押した状態が保持可能な２つの押しボタン式のスイッチ、レバー式スイッチ、スライド式スイッチ等の少なくとも無段変速走行（差動状態）と有段変速走行（非差動状態）とが択一的に切り換えられるスイッチであればよい。また、スイッチ４４の中立位置に替えて、スイッチ４４の選択状態を有効或いは無効すなわち中立位置相当が選択可能なスイッチがスイッチ４４とは別に設けられてもよい。また、スイッチ４４に替えて或いは加えて、手動操作に因らず運転者の音声に反応して少なくとも無段変速走行（差動状態）と有段変速走行（非差動状態）とが択一的に切り換えられる装置や足の操作により切り換えられる装置等であってもよい。
【０１６６】
また、前述の実施例の切換制御手段５０に備えられた変速状態領域変更手段８２は、スイッチ４４の選択状態に基づいて例えば図６の切換線図に示すような有段変速制御領域或いは無段変速制御領域において一方の領域の全てを他方の領域に変更するものであったが、一方の領域の一部分を他方に変更するものであってもよい。図６を例にすれば、スイッチ４４における選択状態に基づいて選択された変速状態に切り替えるための領域が拡大されるように前記判定車速Ｖ１或いは判定出力トルクＴ１が変更され破線に示される境界線が移動させられる。
【０１６７】
また、前述の実施例の図６では変速機構１０の変速状態を切り替えるために無段変速制御領域および有段変速制御領域が記憶されているが、基本は図６の全体が無段制御領域として記憶されてもよく、この場合には変速状態領域変更手段８２はユーザの操作による有段変速走行の選択時のみ図６の全体または一部を有段制御領域に変更する。言い換えれば、基本は無段変速状態すなわち無段変速走行として予め記憶され、ユーザの操作による有段変速走行の選択時のみ切換制御手段５０は有段変速状態に切り替えるようにしてもよい。これによって、ユーザは有段変速走行のみを選択するだけで有段変速走行と無段変速走行とが選択できることになる。この場合には、スイッチ４４は少なくとも有段変速走行が選択可能であればよい。
【０１６８】
なお、上述したのはあくまでも一実施形態であり、本発明は当業者の知識に基づいて種々の変更、改良を加えた態様で実施することができる。
【図面の簡単な説明】
【０１６９】
【図１】本発明の一実施例であるハイブリッド車両の駆動装置の構成を説明する骨子図である。
【図２】図１の実施例のハイブリッド車両の駆動装置が無段或いは有段変速作動させられる場合における変速作動とそれに用いられる油圧式摩擦係合装置の作動の組み合わせとの関係を説明する作動図表である。
【図３】図１の実施例のハイブリッド車両の駆動装置が有段変速作動させられる場合における各ギヤ段の相対的回転速度を説明する共線図である。
【図４】図１の実施例の駆動装置に設けられた電子制御装置の入出力信号を説明する図である。
【図５】図４の電子制御装置の制御作動の要部を説明する機能ブロック線図である。
【図６】車速と出力トルクとをパラメータとする同じ二次元座標に構成された、自動変速部の変速判断の基となる予め記憶された変速線図と変速機構の変速状態の切換判断の基となる予め記憶された切換線図との関係を示す図である。
【図７】無段制御領域と有段制御領域との境界線を有する予め記憶された関係を示す図であって、図６の破線に示す無段制御領域と有段制御領域との境界をマップ化するための概念図でもある。
【図８】有段式変速機におけるアップシフトに伴うエンジン回転速度の変化の一例である。
【図９】切換装置としてのシーソー型スイッチであって変速状態を選択するためにユーザによって操作される変速状態選択装置の一例である。
【図１０】図５の電子制御装置の制御作動すなわち車両における振動騒音の発生を抑制するために駆動系のねじり共振の発生を抑制する制御作動を説明するフローチャートである。
【図１１】図１０のフローチャートに示す制御作動の一例であって、無段変速部の無段変速状態において車両の振動騒音を所定値以上とするような駆動系のねじり共振の発生を回避するための制御作動を説明するタイムチャートである。
【図１２】図５の電子制御装置の制御作動すなわち車両におけるこもり音の発生を抑制するために排気系の共振の発生を抑制する制御作動を説明するフローチャートであって、図１０のフローチャートに相当するものである。
【図１３】図１２のフローチャートに示す制御作動の一例であって、無段変速部の無段変速状態において車両のこもり音を所定値以上とするような排気系の共振の発生を回避するための制御作動を説明するタイムチャートであり、図１１のフローチャートに相当するものである。
【図１４】エンジンの各気筒に設けられた吸気弁および排気弁が電気的に制御される開閉制御弁すなわち電磁駆動弁の一例を説明する図である。
【図１５】図１４の可変動弁機構に設けられて吸気弁或いは排気弁を所望のタイミングで開閉作動させる電磁アクチュエータの構成を説明する図である。
【図１６】本発明の他の実施例におけるハイブリッド車両の駆動装置の構成を説明する骨子図であって、図１に相当する図である。
【図１７】図１６の実施例のハイブリッド車両の駆動装置が無段或いは有段変速作動させられる場合における変速作動とそれに用いられる油圧式摩擦係合装置の作動の組み合わせとの関係を説明する作動図表であって、図２に相当する図である。
【図１８】図１６の実施例のハイブリッド車両の駆動装置が有段変速作動させられる場合における各ギヤ段の相対的回転速度を説明する共線図であって、図３に相当する図である。
【符号の説明】
【０１７０】
８：エンジン（駆動力源）
１０、７０：変速機構（駆動装置）
１１：無段変速部（動力伝達装置）
１６：動力分配機構（差動機構）
１８：伝達部材
２０、７２：自動変速部
３８：駆動輪
４０：電子制御装置（制御装置）
８６：変動周期切換制御手段
９０：共振抑制制御手段
Ｍ１：第１電動機
Ｍ２：第２電動機
Ｃ０：切換クラッチ（差動状態切換装置）
Ｂ０：切換ブレーキ（差動状態切換装置）
【図１】
2006137395.tif 000003
【図２】
2006137395.tif 000004
【図３】
2006137395.tif 000005
【図４】
2006137395.tif 000006
【図５】
2006137395.tif 000007
【図６】
2006137395.tif 000008
【図７】
2006137395.tif 000009
【図８】
2006137395.tif 000010
【図９】
2006137395.tif 000011
【図１０】
2006137395.tif 000012
【図１１】
2006137395.tif 000013
【図１２】
2006137395.tif 000014
【図１３】
2006137395.tif 000015
【図１４】
2006137395.tif 000016
【図１５】
2006137395.tif 000017
【図１６】
2006137395.tif 000018
【図１７】
2006137395.tif 000019
【図１８】
2006137395.tif 000020